(57)【要約】  潤滑特性を呈し、かつ視覚的及び触覚的な審美性が改善された水溶性フィラメントを含むカミソリカートリッジ用の剃毛補助具。
2019524182.tif 000002
【特許請求の範囲】
【請求項１】
フィラメントを含むカミソリカートリッジ用の剃毛補助具であって、前記フィラメントの総重量の少なくとも３０％が水溶性フィラメントである剃毛補助具。
【請求項２】
筐体と、前記筐体に収容されている少なくとも１枚の刃とを含むカミソリカートリッジであって、前記筐体の少なくとも一部がフィラメントを含み、前記フィラメントの総重量の少なくとも３０％が水溶性フィラメントであるカミソリカートリッジ。
【請求項３】
前記筐体が、前記水溶性フィラメントを含む剃毛補助具を含む、請求項２に記載のカミソリカートリッジ。
【請求項４】
前記水溶性フィラメントが、少なくとも１つ、好ましくは少なくとも２つの水溶性フィラメント形成材料、又はこれらの混合物を含む、請求項１又は２に記載の剃毛補助具又はカミソリカートリッジ。
【請求項５】
前記水溶性フィラメントが、ポリビニルアルコール、第四級アンモニウムポリマー、ポリエチレングリコール、ポリエチレンオキシド、又はこれらの組み合わせから選択されるフィラメント形成材料を含む、請求項１又は２に記載の剃毛補助具又はカミソリカートリッジ。
【請求項６】
フィラメントの総重量の少なくとも４０％、好ましくは少なくとも５０％、より好ましくは少なくとも６０％の前記水溶性フィラメントを含む、請求項１又は２に記載の剃毛補助具又はカミソリカートリッジ。
【請求項７】
前記水溶性フィラメントが、全フィラメントの０．０１重量％〜６０重量％の少なくとも１つの添加剤、好ましくはスキンケア活性剤又はその混合物を更に含む、請求項１又は２に記載の剃毛補助具又はカートリッジ。
【請求項８】
前記フィラメントが、前記フィラメントの外面の少なくとも一部上に前記スキンケア活性剤又はその混合物を含む、請求項７に記載の剃毛補助具又はカートリッジ。
【請求項９】
前記フィラメントが、前記フィラメント内に前記少なくとも１つのスキンケア活性物質を含む、請求項８に記載の剃毛補助具又はカートリッジ。
【請求項１０】
前記水溶性フィラメントが、ウェブ、好ましくは不織布ウェブの形態である、請求項１又は２に記載の剃毛補助具又はカートリッジ。
【請求項１１】
少なくとも２層、好ましくは少なくとも１０層、より好ましくは少なくとも１２層の前記ウェブを含む、請求項１０に記載の剃毛補助具又はカートリッジ。
【請求項１２】
前記少なくとも２層を重ね合わせ、互いに接合させて、積層体を形成する、請求項１１に記載の剃毛補助具又はカートリッジ。
【請求項１３】
前記ウェブが、約０．０１ｍｍ超〜約２０ｍｍの厚さを有する、請求項１０〜１２のいずれか一項に記載の剃毛補助具又はカートリッジ。
【請求項１４】
前記ウェブが、少なくとも１つの添加剤でコーティングされている、請求項１０に記載の剃毛補助具又はカートリッジ。
【請求項１５】
前記スキンケア活性剤が、界面活性剤、脂肪、油、ワックス、又はこれらの混合物から、好ましくは、シリコーン、鉱油、ワセリン、及び天然由来の油、及びこれらの混合物から選択される、請求項７に記載の剃毛補助具又はカートリッジ。
【請求項１６】
前記１つ以上のスキンケア活性剤が、アニオン性界面活性剤、カチオン性界面活性剤、非イオン性界面活性剤、双極性イオン界面活性剤、両性界面活性剤、又はこれらの混合物を含む、請求項１５に記載の剃毛補助具又はカートリッジ。
【請求項１７】
請求項１〜１６のいずれか一項に記載の剃毛補助具又はカートリッジを製造する方法であって、
ａ．１つ以上のフィラメント形成材料と、任意追加的に、１つ以上のスキンケア活性剤とを含むフィラメント形成組成物を準備する工程と；
ｂ．前記フィラメント形成組成物を紡糸して、前記１つ以上のフィラメント形成材料と、任意追加的に１つ以上のスキンケア活性剤と、を含む１つ以上のフィラメントにする工程と、
を含む方法。
【請求項１８】
ｃ．前記フィラメントからウェブを形成する工程と、
ｄ．任意追加的に、前記フィラメント及び又はウェブをスキンケア活性剤でコーティングする工程と、
ｅ．前記ウェブのうちの少なくとも２層を重ね合わせ、互いに接合させて、その積層体を形成する工程と
を更に含む、請求項１７に記載の方法。
【請求項１９】
皮膚を処理する方法であって、
（ａ）請求項２に記載のカミソリを水と接触させることと、
（ｂ）前記カミソリを皮膚と接触させ、除毛と一致するような方法で前記皮膚上を移動させることと、
（ｃ）前記皮膚をすすぎ、乾燥させることと
を含む方法。
【請求項２０】
剃毛前、剃毛中、又は剃毛後に皮膚を処理するための、請求項１〜１９のいずれか一項に記載の剃毛補助具の使用。
【発明の詳細な説明】
【技術分野】
【０００１】
本発明は、潤滑特性を呈しかつ視覚的及び触覚的な審美性が改善された、水溶性フィラメントをベースとする剃毛補助具を含むカミソリカートリッジ用の剃毛補助具に関する。
【背景技術】
【０００２】
剃毛中に潤滑効果を提供するためにカミソリの刃において剃毛補助具を使用することが知られている。例えば、米国特許第７１２１７５４号、同第６２９８５５８号、同第５７１１０７６号、同第６３０１７８５号、米国特許出願公開第２００９／０２２３０５７号、及び同第２００６／０２２５２８５号を参照。このような剃毛補助具は、典型的にはルブラストリップ（Lubrastrip）と呼ばれ、構造的一体性を提供するための水不溶性マトリックス材料と、水溶性ポリマーが剃毛中に存在する水との溶液を形成すると剃毛中に潤滑を提供するためのポリエチレンオキシドなどの水溶性ポリマーと、を含む。ルブラストリップが導入されて以降、これらの形態は限定されていないにもかかわらず、当該技術分野はほとんど発展していない。例えば、ポリエチレンオキシド潤滑剤は、その固有の曳糸性から消費者に否定的に認知されることがあり、製造プロセス及び得られる形態が、ポリエチレンオキシドの有効性を低下させ、そして、スキンケア活性物質の包含を制限する場合がある。また、ルブラストリップは、皮膚に魅力的な感覚を与えることのない硬質の不適合形態を有する。
【０００３】
したがって、潤滑特性を呈し、複数回の使用事象にわたって制御された方式で様々な望ましい皮膚活性物質を収容及び送達する能力を有すると同時に、使用前及び使用中に差別化された魅力的な視覚的及び触覚的な審美性も提供するカミソリカートリッジ用の剃毛補助具を提供することが依然として必要とされている。
【０００４】
驚くべきことに、例えば剃毛補助具において、カミソリカートリッジ上に水溶性フィラメントを設けることにより、これら所望の効果を提供できることが見出された。フィラメントは、好ましくは、フィラメント形成材料及び潤滑剤の両方として作用すると同時に、使用前及び使用中に望ましい審美性を提供する水溶性材料で構成される。所望により、剃毛補助具は、スキンケア活性物質でコーティングされるか若しくはスキンケア活性物質を含浸してもよく、並びに／又は形状適合性及び柔軟性の知覚を更に増大させるために積層されていてもよい。また、コーティング又は含浸及び積層はいずれも、使用する際にフィラメント及び関連する剃毛補助具の溶解速度を制御するという更なる望ましい効果を有する。
【０００５】
繊維又はフィラメントの形態は、例えば、国際公開公報第２０１３／０９６１７８号に記載のように、カミソリカートリッジにおける使用が知られている。繊維は、弾力性かつ非水溶性であると記載されており、ポリアミド又はポリエステルを含む疎水性不織布材料を含む。繊維の機能は、何らかの追加の機能的効果ではなく、繊維質パッドの中又は上に分注された剃毛流体のためのアプリケータ及びリザーバとして単に作用するものである。しかし、このような弾力性繊維又はフィラメントパッドの問題点は、当該パッドが、隙間に集まる皮膚及び毛髪の細片に起因して使用中に望ましくない外観を形成する傾向があることである。
【０００６】
不織布基材と呼ばれることの多いフィラメント又は繊維質の基材の使用は、ティッシュタオルなどの消費者用途において記載されており、望ましい布のような感触及び外観を特徴とする。例えば、米国特許出願公開第２０１３／０２０９２７２号には、ポリビニルアルコールのフィラメント又は繊維を含む不織布基材と、親水性材料の表面処理と、を含むウェットワイプが記載されている。また、このようなウェブは、デンプン及びＰＶＡを含む繊維又はフィラメントを含む溶解性ナノウェブの積み重ねについて記載している国際公開公報第２００９００２２７６１号に記載されているように、積み重ねるか又は層状にしてもよい。しかし、これらウェブは、溶解速度が高く、複数回の使用には適していない。使用中に活性物質を放出するフィラメント形成材料の使用は、例えば、米国特許出願公開第２０１２／００５２０３６号、同第２０１２／０２３７５７６号、及び同第２０１３／０１７１４２号にも記載されている。
【先行技術文献】
【特許文献】
【０００７】
【特許文献１】米国特許第７１２１７５４号
【特許文献２】米国特許第６２９８５５８号
【特許文献３】米国特許第５７１１０７６号
【特許文献４】米国特許第６３０１７８５号
【特許文献５】米国特許出願公開第２００９／０２２３０５７号
【特許文献６】米国特許出願公開第２００６／０２２５２８５号
【特許文献７】国際公開公報第２０１３／０９６１７８号
【特許文献８】米国特許出願公開第２０１３／０２０９２７２号
【特許文献９】国際公開公報第２００９００２２７６１号
【特許文献１０】米国特許出願公開第２０１２／００５２０３６号
【特許文献１１】米国特許出願公開第２０１２／０２３７５７６号
【特許文献１２】米国特許出願公開第２０１３／０１７１４２号
【発明の概要】
【課題を解決するための手段】
【０００８】
本発明は、カミソリカートリッジ上に、例えば、筐体中若しくは筐体上に、又はカミソリカートリッジ用の剃毛補助具の形態で組み込むための水溶性フィラメントであるフィラメントを提供することによって、上記の必要性を満たす。剃毛補助具は、好ましくは潤滑効果と所望の視覚的及び触覚的な審美性とを両方提供する、フィラメントをベースとするウェブを用い得る。フィラメントは、好ましくは、フィラメント形成材料及び潤滑剤の両方として作用する水溶性材料で構成される。剃毛補助具は、少なくとも３０重量％の水溶性フィラメントを含むフィラメントを含む。
【０００９】
一実施形態では、フィラメント又は当該フィラメントを含む剃毛補助具若しくはカミソリカートリッジは、スキンケア活性物質などの添加剤を更に含んでもよく、当該添加剤を当該フィラメントの外面の少なくとも一部上にコーティング及び若しくは含浸してもよい、並びに又は当該フィラメント内に含めて、それにより剃毛プロセス中に皮膚への処理を提供してもよい。別の実施形態では、フィラメントをウェブに成形してもよく、当該ウェブは、その表面のうちの１つの少なくとも一部上に添加剤がコーティング又は含浸されていてもよい。
【００１０】
別の実施形態では、カミソリカートリッジ又は当該カミソリカートリッジ用の剃毛補助具は、フィラメントを含む少なくとも２層のウェブを含み得、当該フィラメントの少なくとも３０重量％は水溶性フィラメントである。一実施形態では、少なくとも２層を接合して積層体を形成してもよく、当該積層体は、構造的一体性を改善し、得られるウェブ又は剃毛補助具の形状適合性及び柔軟性の知覚を増大させることができる。また、フィラメント及び又はウェブのコーティング及び又は含浸及び又は積層は、使用中にフィラメント及び剃毛補助具の溶解速度を制御して、それにより複数回の剃毛事象中に潤滑剤及び皮膚活性物質の両方の皮膚への制御送達を保証するという更なる望ましい利点も提供する。
【００１１】
本発明は、更に、フィラメント、ウェブ、剃毛補助具、及びこのようなフィラメント、ウェブ、又は剃毛補助具を含むカミソリカートリッジを作製する方法を含む。当該方法は、以下の工程を含む：
ａ．１つ以上のフィラメント形成材料、並びに任意追加的に１つ以上の添加剤及び／又は１つ以上の極性溶媒（例えば、水）を含むフィラメント形成組成物を準備する工程と、
ｂ．当該フィラメント形成組成物を紡糸して、１つ以上のフィラメント形成材料、並びに任意追加的に１つ以上の添加剤、例えば、皮膚活性剤のフィラメントを含むウェブにする工程。
【００１２】
当該方法は、一実施形態では、以下の追加工程を更に含み得る：
ｃ）当該フィラメント又は得られたウェブをスキンケア活性剤などの添加剤でコーティングする工程。当該方法は、別の実施形態では、以下の追加工程を更に含み得る：
ｄ）少なくとも２層のコーティングされているか又はコーティングされていないウェブを重ね合わせ、当該層を接合して積層体を形成する工程。
【００１３】
したがって、本発明は、例えば、任意追加的にスキンケア活性剤を含む及び／又は任意追加的に接合されて積層体を形成するウェブ又は剃毛補助具としてカミソリカートリッジに組み込むための水溶性フィラメント、並びにその作製方法を提供する。
【図面の簡単な説明】
【００１４】
【図１】本発明に係るウェブ及び積層体の実施例Ｌ１、Ｌ２、Ｌ３、６、６Ａ、Ｌ６、Ｌ４、及びＬ５の概略断面図を示す。
【図２】本発明に係るウェブ及び積層体の実施例Ｌ１、Ｌ２、Ｌ３、６、６Ａ、Ｌ６、Ｌ４、及びＬ５の概略断面図を示す。
【図３】本発明に係るウェブ及び積層体の実施例Ｌ１、Ｌ２、Ｌ３、６、６Ａ、Ｌ６、Ｌ４、及びＬ５の概略断面図を示す。
【図４】本発明に係るウェブ及び積層体の実施例Ｌ１、Ｌ２、Ｌ３、６、６Ａ、Ｌ６、Ｌ４、及びＬ５の概略断面図を示す。
【発明を実施するための形態】
【００１５】
用語の定義
「フィラメント」とは、本明細書で使用するとき、長さがその直径を大きく上回る、すなわち、長さの直径に対する比が少なくとも約５である細長い微粒子を意味する。
【００１６】
本発明のフィラメントは、好適な紡糸プロセス操作、例えばメルトブローイング、スパンボンディング、及び／又は電界紡糸を介してフィラメント形成組成物から紡糸することができる。
【００１７】
本発明のフィラメントは、単一成分及び／又は多成分のものとすることができる。例えば、それらのフィラメントは、２成分フィラメントを含み得る。これら２成分又は多成分のフィラメントは、サイドバイサイド、芯鞘型、海島型などの任意の形態であってよい。
【００１８】
本発明のフィラメントは、５．０８ｃｍ（２インチ）以上、及び／又は７．６２ｃｍ（３インチ）以上、及び／又は１０．１６ｃｍ（４インチ）以上、及び／又は１５．２４ｃｍ（６インチ）以上の長さを呈し得る。フィラメントの長さとは、成形後のフィラメントの長さを指す。しかし、カミソリカートリッジ又は当該カミソリカートリッジ用の剃毛補助具上でフィラメントを利用するために、フィラメント又は当該フィラメントを含むウェブは、上記値未満の長さを有することがある。
【００１９】
「フィラメント形成組成物」は、本明細書で使用するとき、メルトブローイング、スパンボンディング、及び／又は電界紡糸などによって、本発明のフィラメントを作製するのに好適な組成物を意味する。フィラメント形成組成物は、１つ以上のフィラメント形成材料、好ましくは潤滑フィラメント形成材料を含む。フィラメント形成材料は、それをフィラメントに紡糸するのに適したものにする特性を呈する。１つ以上のフィラメント形成材料に加えて、フィラメント形成組成物は、任意追加的に、１つ以上の添加剤、例えば１つ以上のスキンケア活性剤を含んでもよい。更に、フィラメント形成組成物は、１つ以上の極性溶媒、例えば水を含んでもよく、その中にフィラメント形成材料のうちの１つ以上、例えば全て及び／又は活性剤のうちの１つ以上、例えば全てが溶解及び／又は分散している。フィラメント形成材料の総濃度及びフィラメント形成組成物中に存在する活性剤の総濃度は、本発明のフィラメントがそれから作製され得る限り、任意の好適な量であってもよい。
【００２０】
「フィラメント形成材料」とは、本明細書で使用するとき、フィラメントを作製するのに好適な、ポリマーを製造することができるポリマー又はモノマー、好ましくは水溶性のポリマー又はモノマーを意味する。
【００２１】
「フィラメント形成潤滑材料」とは、本明細書で使用するとき、潤滑特性を呈しかつフィラメントを作製するのに好適な、ポリマーを製造することができるポリマー又はモノマー、好ましくは水溶性のポリマー又はモノマーを意味する。
【００２２】
「添加剤」は、本明細書で使用するとき、フィラメント形成材料ではない、本発明のフィラメント中に存在する任意の材料を意味する。添加剤は、スキンケア活性剤、加工助剤、充填剤、可塑剤、架橋剤、レオロジー改質剤、着色剤、離型剤、キレート剤、及び／又は粘着防止若しくは粘着性除去剤を含み得る。添加剤は、フィラメントに存在しなくてもフィラメントがそのフィラメント構造を失わない、言い換えれば、それが存在しなくてもフィラメントはその固体形態を失わない、フィラメント中に存在する任意の材料を含む。
【００２３】
本明細書で使用するとき、「スキンケア活性剤」は、皮膚に適用したときに、皮膚に利益又は改善をもたらす活性剤を意味する。この効果は、事実上即時性であっても持続性であってもよい。当該効果としては、クレンジング、皮脂抑制、皮膚の油っぽい及び／又はつやのある外観の増大又は低減、乾燥及び／又は赤みの低減、かゆみ及び／又は剥落、毛穴の大きさの低減、剥離、落屑、皮膚組織の外観の改善、コンディショニング、保湿、平滑化、付香、皮膚の消臭、炎症の低減、毛髪の軟化、脱毛、及び／又は制汗効果の提供などが挙げられるが、これらに限定されない。
【００２４】
「目的とする使用条件」は、本明細書で使用するとき、本発明のフィラメントが、カミソリカートリッジに組み込まれるというその設計された目的のために使用されるときに曝される温度条件、物理的条件、化学的条件、及び／又は機械的条件を意味する。
【００２５】
「処理」は、皮膚を含む表面の処理に関して本明細書で使用するとき、活性剤が表面又は環境に利益をもたらすことを意味する。処理としては、皮膚の潤滑、皮膚の美容上の外観、清浄度、匂い、及び／又は感触の調節及び／又は即時改善が挙げられる。一例では、皮膚組織の処理に関連する処理は、剃毛プロセス中に閉塞性皮膚保湿剤を沈着させることを意味する。
【００２６】
「重量比」は、本明細書で使用するとき、フィラメント中の乾燥重量ベースでの添加剤、例えば活性剤の重量（ｇ又は％）に対する、フィラメント中の乾燥重量ベースでのフィラメント形成材料の重量（ｇ又は％）を意味する。
【００２７】
本明細書で使用するとき、「ヒドロキシルポリマー」としては、例えばフィラメント形成材料として、本発明のフィラメント内に組み込むことが可能な、任意のヒドロキシル含有ポリマーが挙げられる。本発明のヒドロキシルポリマーは、１０重量％超、及び／又は２０重量％超、及び／又は２５重量％超のヒドロキシル部分を含む。
【００２８】
本明細書で使用するとき、「水溶性材料」は、水に混和性である材料を意味する。言い換えれば、周囲条件において安定した（すなわち、均質な溶液を形成した後５分超にわたって分離しない）均質な溶液又は分散液を水と形成することができる材料である。
【００２９】
「水溶性フィラメント」は、本明細書で使用するとき、フィラメント形成プロセス終了後のフィラメントの水溶性を指し、具体的に指定しない限り、その後に添加剤でコーティングするなどの後処理を有するフィラメントは含まない。
【００３０】
「周囲条件」とは、本明細書で使用するとき、約２３℃±２．２℃（７３°Ｆ±４°Ｆ）及び相対湿度５０％±１０％を意味する。
【００３１】
フィラメントに関して本明細書で使用するとき、「長さ」とは、一方の終端部から他方の終端部までの、そのフィラメントの最長軸線に沿った長さを意味する。フィラメントが、その中に、捩れ、縮れ、又は屈曲部を有する場合には、長さは、そのフィラメントの経路全体に沿った長さである。
【００３２】
フィラメントに関して本明細書で使用するとき、「直径」は、本明細書で説明される直径試験方法に従って測定される。一実施例では、本発明のフィラメントは、１００μｍ未満の、及び／又は７５μｍ未満の、及び／又は５０μｍ未満の、及び／又は２５μｍ未満の、及び／又は２０μｍ未満の、及び／又は１５μｍ未満の、及び／又は１０μｍ未満の、及び／又は６μｍ未満の、及び／又は１μｍを超える、及び／又は３μｍを超える直径を呈する。
【００３３】
「乾燥フィラメントベースの重量」とは、温度約２３℃±２．２℃（７３°Ｆ±４°Ｆ）及び相対湿度５０％±１０％に管理された室内で２時間、フィラメントをコンディショニングした直後に測定されたフィラメントの重量を意味する。一例では、「乾燥フィラメントベースの重量」とは、例えば、本明細書に記載される含水量試験法に従って測定されたとき、フィラメントが、当該フィラメントの重量に基づいて２０％未満、及び／又は１５％未満、及び／又は１０％未満、及び／又は７％未満、及び／又は５％未満、及び／又は３％未満、及び／又は０％まで、及び／又は０％超の水分、例えば遊離水を含むことを意味する。
【００３４】
「総濃度」は、例えばフィラメント中に存在する１つ以上の活性剤の総濃度に関して本明細書で使用されるとき、対象物質（例えば、活性剤）の全ての重量又は重量％の合計を意味する。言い換えれば、フィラメントは、乾燥フィラメントベースで２５重量％のアニオン性界面活性剤、乾燥フィラメントベースで１５重量％の非イオン性界面活性剤、１０重量％のキレート剤、及び５重量％の香料を含み得、その結果、フィラメント中に存在する活性剤の総濃度は５０％超、すなわち乾燥フィラメントベースで５５重量％になる。
【００３５】
「ウェブ」は、本明細書で使用するとき、互いに関連する任意の性質又は起源の、成形されたフィラメントの集合体、例えば繊維構造体及び／又はフィラメントから形成されたシート、例えば連続フィラメントを意味する。一例では、ウェブは、キャスティングプロセスではなく紡糸プロセスによって形成されたシートである。
【００３６】
本明細書で使用するとき、そして、概してＥｕｒｏｐｅａｎ  Ｄｉｓｐｏｓａｂｌｅｓ  ａｎｄ  Ｎｏｎｗｏｖｅｎｓ  Ａｓｓｏｃｉａｔｉｏｎ（ＥＤＡＮＡ）によって定義されたとき、本発明の目的のための「不織布ウェブ」は、任意の手段によってウェブに成形されており、かつ製織又は編みを除く任意の手段によって互いに接合され得る、任意の性質又は起源のフィラメント、例えば連続フィラメントのシートを意味する。ウェットミリングによって得られるフェルトは不織布ウェブではない。
【００３７】
本明細書で使用するとき、「微粒子」は、粒状の物質及び／又は粉末を意味する。
【００３８】
「コーティング」とは、本明細書で使用するとき、例えば、フィラメント及び／若しくはウェブの表面の少なくとも一部上、又はウェブ内の空隙にスキンケア活性剤などの添加剤を添加することを意味する。コーティングは、個々のフィラメントに塗布されてもよい、並びに／又はウェブ上及びその中の空隙に塗布されてもよい。コーティングは、均一であってもよく、又はフィラメント若しくはウェブの分離した領域上若しくは領域内に塗布してもよい。コーティングは、スプレーコーティング、ディップコーティング、スロットコーティング、グラビア、フレキソ、及びインクジェットなどの印刷、又はこれらの組み合わせなどであるがこれらに限定されない、当該技術分野において既知の任意の手段によって塗布してよい。コーティングは、塗布されるウェブのフィラメントの表面上に保持されてもよく、少なくとも部分的にフィラメント若しくはウェブに含浸するか又はウェブ内の空隙を充填してもよい。
【００３９】
「積層体」は、本明細書で使用するとき、互いに接合される、少なくとも２層の重ね合わされたウェブを含むと定義される。当該層は、例えば、温度、圧力、及び／又は水若しくは熱硬化性材料の塗布、又は超音波、あるいはこれらの組み合わせを使用して互いに接合されてよい。
【００４０】
本明細書で使用するとき、本明細書で使用する場合の冠詞「ａ」及び「ａｎ」、例えば、「アニオン性界面活性剤（an anionic surfactant）」又は「フィラメント（a filament）」は、請求又は記載される１つ以上の材料を意味すると理解される。全ての百分率及び比率は、特に指示がない限り、重量で計算される。全ての百分率及び比率は、特に指示がない限り、全組成物に基づいて計算される。特に記載のない限り、全ての成分又は組成物の濃度は、その成分又は組成物の活性濃度に関するものであり、市販の供給源中に存在し得る不純物、例えば、残留溶媒又は副生成物は除外される。
【００４１】
フィラメント
本発明の剃毛補助具又はカミソリカートリッジ筐体は、フィラメントを含み、全フィラメントの少なくとも３０重量％、又は少なくとも４０重量％、又は少なくとも５０重量％、又は少なくとも６０重量％、又は少なくとも７０重量％、又は少なくとも８０重量％、又は少なくとも９０重量％が水溶性フィラメントである。本発明の水溶性フィラメントは、好ましくは、１つ以上のフィラメント形成潤滑材料を含み得る１つ以上のフィラメント形成材料を含む。フィラメント形成材料は、好ましくは、水溶性である。剃毛補助具又はカミソリカートリッジ筐体は、任意追加的に、独立して、全フィラメントの７０重量％以下、又は６０重量％以下、又は５０重量％以下、又は４０重量％以下、又は３０重量％以下、又は２０重量％以下、又は１０重量％以下、又は５重量％以下の１つ以上の非水溶性フィラメント及び又は非水溶性フィラメント形成材料及び又は水を更に含み得る。また、水溶性フィラメントは、任意追加的に、水及び又は１つ以上の添加剤を更に含み得、また、１つ以上のスキンケア活性剤を含み得る。
【００４２】
本発明のフィラメントは、好ましくは、本明細書に記載される含水量試験法に従って測定したとき、０重量％〜２０重量％未満、更により好ましくは０重量％〜１５重量％未満、更により好ましくは２重量％〜１０重量％未満の水を含む。
【００４３】
一実施形態では、フィラメントは、１つ以上の水溶性フィラメント形成潤滑材料を含み得る。別の実施形態では、フィラメントは、１つ以上の添加剤を含み得る。別の実施形態では、フィラメントは、界面活性剤、脂肪、油、ワックス、第四級アンモニウムポリマー、保湿剤、閉塞剤、カチオン性ポリマー、感覚剤、慢性スキンケア活性物質、香料、及び制汗活性剤、並びにこれらの混合物からなる群から選択される１つ以上のスキンケア活性剤を含み得る。別の実施形態では、水溶性フィラメントは、約０％〜約７０％の総濃度の添加剤と、約０％〜約７０％の総濃度のスキンケア活性剤と、を含む。別の実施形態では、スキンケア活性剤は、水溶性フィラメント及び又はフィラメントの約１重量％〜約１５重量％で存在し得る。
【００４４】
フィラメントは、２つ以上の異なるスキンケア活性剤を含み得る。２つ以上の異なるスキンケア活性剤は、互いに相溶性又は非相溶性であってもよい。フィラメントは、フィラメント内の活性剤と、フィラメントの外面の少なくとも一部上の活性剤、例えばフィラメント上のコーティングと、を含み得る。フィラメントの外面上の活性剤は、フィラメント中に存在する活性剤と同じであってもよく、異なっていてもよい。異なる場合は、活性剤は互いに相溶性であってもよく、又は非相溶性であってもよい。また、異なるスキンケア活性剤を含むフィラメントも想定される。
【００４５】
１つ以上のスキンケア活性剤は、フィラメント全体に均一に分布又は実質的に均一に分布していてもよく、フィラメント内に分離した領域として分布していてもよい。以後に記載される皮膚活性剤を下記のようにコーティングとして使用してもよい。
【００４６】
本発明のフィラメントは、メルトブローン、スパンボンド、又は電界紡糸フィラメントであり得る。メルトブローン又はスパンボンドのフィラメントの場合、フィラメントは、好ましくは、本明細書に記載される直径試験法に従って測定したとき、１００μｍ未満、より好ましくは５０μｍ未満、更により好ましくは２５μｍ未満、更により好ましくは及び／又は１０未満の直径を呈する。電界紡糸フィラメントの場合、本発明のフィラメントは、好ましくは、本明細書に記載される直径試験法に従って測定したとき、１μｍ未満の直径を呈する。本発明のフィラメントの直径を使用して、使用条件下におけるフィラメントの溶解速度と水溶性潤滑材料及び／又はスキンケア活性剤の送達とを制御することができる。
【００４７】
フィラメントは、カミソリカートリッジなどの除毛ヘッドで使用することを意図し、そのまま組み込まれてもよく、カミソリカートリッジの筐体若しくは剃毛補助具などの除毛ヘッドの別の要素に取り付けられてもよく、及び／又は除毛ヘッド若しくはカートリッジで使用するための剃毛補助具などの個別の物品を形成するために使用されてもよい。
【００４８】
フィラメント形成材料
フィラメント形成材料は、紡糸プロセスなどによってフィラメントを製造するのに好適な特性を呈するポリマー又はポリマーを製造することができるモノマーなど、任意の好適な材料である。フィラメント形成材料は、好ましくは、少なくとも３０重量％、より好ましくは少なくとも５０重量％の水溶性フィラメント形成材料を含む。フィラメント形成材料は、約７０重量％以下、好ましくは５０重量％未満、より好ましくは２５重量％未満、更により好ましくは１０重量％の非水溶性フィラメント形成材料及び又は添加剤を含み得る。
【００４９】
一実施形態では、フィラメント形成材料は、エチレン性不飽和性カルボン酸モノマー及びエチレン性不飽和モノマーなどのアクリルモノマー由来のポリマー、ポリビニルアルコール、ポリアクリレート、ポリメタクリレート、アクリル酸及びメチルアクリルレートのコポリマー、ポリビニルピロリドン、ポリアルキレンオキシド、ポリエチレングリコール、ポルポリアクリルアミド、デンプン及びデンプン誘導体、天然又は合成ゴムプルラン、ゼラチン、ヒドロキシプロピルメチルセルロース、メチルセルロース、第四級アンモニウムポリマー、並びにカルボキシメチルセルロース、並びにこれらの混合物からなる群から選択される少なくとも１つの潤滑フィラメント形成材料、好ましくは水溶性潤滑フィラメント形成材料を含む。好ましくは、当該材料は、非イオン性ポリマー、例えば、ポリエチレングリコール及び若しくはポリエチレンオキシド、ヒドロキシルポリマー、例えば、ポリビニルアルコール（「ＰＶＯＨ」又は「ＰＶＡ」）、及び／又は第四級アンモニウムポリマー、又はこれらの組み合わせから選択され得る。
【００５０】
ａ．水溶性ヒドロキシルポリマー
本発明に係る水溶性ヒドロキシルポリマーの非限定的な例としては、ポリオール、例えば、ポリビニルアルコール、ポリビニルアルコール誘導体、ポリビニルアルコールコポリマー、デンプン、デンプン誘導体、デンプンコポリマー、キトサン、キトサン誘導体、キトサンコポリマー、セルロース誘導体、例えば、セルロースエーテル及びエステル誘導体、セルロースコポリマー、ヘミセルロース、ヘミセルロース誘導体、ヘミセルロースコポリマー、ガム、アラビナン、ガラクタン、タンパク質及び他の多様な多糖類、並びにこれらの混合物が挙げられる。
【００５１】
本明細書におけるポリビニルアルコールは、その特性を改質するために他のモノマーによりグラフトすることができる。広範なモノマーをポリビニルアルコールにグラフトすることに成功している。このようなモノマーの非限定的な例としては、酢酸ビニル、スチレン、アクリルアミド、アクリル酸、２−ヒドロキシエチルメタクリレート、アクリロニトリル、１，３−ブタジエン、メチルメタクリレート、メタクリル酸、マレイン酸、イタコン酸、ビニルスルホン酸ナトリウム、アリルスルホン酸ナトリウム、メチルアリルスルホン酸ナトリウム、フェニルアリルエーテルスルホン酸ナトリウム、フェニルメタアリルエーテルスルホン酸ナトリウム、２−アクリルアミド−メチルプロパンスルホン酸（ＡＭＰ）、塩化ビニリデン、塩化ビニル、ビニルアミン、及び様々なアクリレートエステルが挙げられる。
【００５２】
一例では、水溶性ヒドロキシルポリマーは、ポリビニルアルコール、ヒドロキシメチルセルロース、ヒドロキシエチルセルロース、ヒドロキシプロピルメチルセルロース、及びこれらの混合物からなる群から選択される。好適なポリビニルアルコールの非限定的な例としては、クラレ（日本）から商標名ＰＯＶＡＬとして市販されているもの、好ましくはＫＬ３１８及び／又は４２０Ｈ等級が挙げられる。
【００５３】
ｂ．非イオン性ポリマー
本明細書に用いるのに適した好適な非イオン性水溶性ポリマーの例としては、ポリエチレンオキシド、ポリビニルピロリドン、ポリアクリルアミド、ポリビニルイミダゾリン、ポリエチレングリコール、及びこれらの混合物が挙げられる。いくつかの実施形態では、当該水溶性ポリマーは、ポリエチレンオキシド、及びポリエチレングリコール、並びにこれらの混合物からなる群から選択される。
【００５４】
好ましい水溶性ポリマーの一群は、ＰＯＬＹＯＸ（Ｄｏｗ  Ｃｈｅｍｉｃａｌｓから入手可能）又はＡＬＫＯＸ（明成化学工業株式会社（日本、京都）から入手可能）として一般的に知られているポリエチレンオキシドである。ポリエチレンオキシドは、少なくとも約２０，０００、好ましくは少なくとも約５０，０００、好ましくは少なくとも約１００，０００、又は約１００，０００〜約８００万、より好ましくは約３００，０００〜約５００万の平均分子量を有し得る。
【００５５】
好ましい水溶性ポリマーの別の群は、一般的にＰＥＧとして知られており、ＣＡＲＢＯＷＡＸ（Ｄｏｗ  Ｃｈｅｍｉｃａｌｓ製）及びＰＬＵＲＩＯＬ（ＢＡＳＦ製）として入手可能なポリエチレングリコールである。ポリエチレングリコールは、約２００〜約８，０００、好ましくは約２００〜約６００、更により好ましくは約３５０〜約４５０の平均分子量を有し得る。
【００５６】
いくつかの実施形態では、ポリエチレンオキシドをポリエチレングリコールと合わせることが有利であり得る。
【００５７】
ｃ．第四級アンモニウムポリマー
好適な水溶性カチオン性ポリマーは、例えば、カチオン性セルロース誘導体（例えば、Ｄｏｗから商品名ＵＣａｒｅ  Ｐｏｌｙｍｅｒ  ＪＲ  ４００（登録商標）として入手可能な第四級化ヒドロキシメチルセルロース）、疎水化第四級化ヒドロキシメチルセルロース（例えば、Ｄｏｗ製のＳｏｆｔＣＡＴ（登録商標）ＳＬ−５）、カチオン性デンプン、ジアリルアンモニウム塩とアクリルアミドとのコポリマー、ジアリルアンモニウム塩とアクリル酸とのコポリマー（Ｌｕｂｒｉｚｏｌ製Ｍｅｒｑｕａｔ  ２８０）、第四級化ビニルピロリドン／ビニルイミダゾールポリマー（例えば、Ｌｕｖｉｑｕａｔ（登録商標）（ＢＡＳＦ））、ポリグリコールとアミンとの縮合生成物、第四級化コラーゲンポリペプチド（例えば、ラウリルジモニウムヒドロキシプロピル加水分解コラーゲン（Ｌａｍｅｑｕａｔ（登録商標）Ｌ／Ｇｒｕｎａｕ）、第四級化コムギポリペプチド、ポリエチレンイミン、カチオン性シリコーンポリマー（例えば、アミドメチコーン）、アジピン酸とジメチル−アミノヒドロキシプロピルジエチレン−トリアミンとのコポリマー（Ｃａｒｔａｒｅｔｉｎ（登録商標）／Ｃｌａｒｉａｎｔ）、アクリル酸とジメチルジアリルアンモニウムクロリドとのコポリマー（Ｍｅｒｑｕａｔ（登録商標）５５０／Ｃｈｅｍｖｉｒｏｎ）、例えば、仏国特許第ＦＲ−Ａ−２２５２８４０号に記載されているようなポリアミノポリアミド、及びその架橋水溶性ポリマー、場合により微結晶として分散しているカチオン性キチン誘導体、例えば第四級化キトサン；ジハロアルキル、例えばジブロモブタンとビスジアルキルアミン、例えばビスジメチルアミノ−１，３−プロパンの縮合生成物、カチオン性グアーガム（例えば、Ｃｅｌａｎｅｓｅ製Ｊａｇｕａｒ（登録商標）Ｃ−１７又はＡｓｈｌａｎｄ製Ｎ−Ｈａｎｃｅ（登録商標）３１９６）、第四級化アンモニウム塩ポリマー（例えば、Ｍｉｒａｎｏｌ製Ｍｉｒａｐｏｌ（登録商標）Ａ−１５、Ｍｉｒａｐｏｌ（登録商標）ＡＤ−１、Ｍｉｒａｐｏｌ（登録商標）ＡＺ−１）、メタクリルアミドプロピルトリメチルアンモニウムクロリド、アクリルアミド、及びアクリル酸とで構成される両性ターポリマー（例えば、Ｍｅｒｑｕａｔ  ２００３ＰＲ）である。
【００５８】
一実施形態では、フィラメント形成材料は、ポリビニルアルコール、ポリエチレンオキシド、ポリエチレングリコール、及びこれらの混合物から選択される。他の実施形態では、フィラメント形成材料は、ポリエチレンオキシドを含む。他の例では、フィラメント形成材料は、第四級アンモニウムポリマー、好ましくは、ジアリルアンモニウム塩とアクリル酸とのコポリマーを含む。
【００５９】
スキンケア活性剤
一実施形態では、フィラメント、ウェブ、又は剃毛補助具は、「スキンケア活性剤」を含み得る。好適な化粧剤、スキンケア剤、及びスキンコンディショニング剤の非限定的な例は、ＣＴＦＡ  Ｃｏｓｍｅｔｉｃ  Ｉｎｇｒｅｄｉｅｎｔ  Ｈａｎｄｂｏｏｋ、第２版、Ｔｈｅ  Ｃｏｓｍｅｔｉｃ，Ｔｏｉｌｅｔｒｉｅｓ，ａｎｄ  Ｆｒａｇｒａｎｃｅ  Ａｓｓｏｃｉａｔｉｏｎ，Ｉｎｃ．１９８８，１９９２に記載されており、脂肪、油、ワックス、界面活性剤、香料、保湿剤、第四級ポリマー、冷却剤、及びこれらの混合物が挙げられる。一実施形態では、スキンケア活性剤は疎水性である。スキンケア活性剤は、即時及び単回塗布の効果の両方を提供するため、並びに又は複数回の塗布を必要とする慢性皮膚状態に対処するために利用することができる。スキンケア活性剤は、フィラメント内、その外面の一部上に存在してもよく、又は以後論じるように成形されたウェブ上にコーティングとして塗布されてもよい。
【００６０】
ｉ．脂肪、油、及びワックス
好適な油は、天然油、合成油、シリコーン油、及びこれらの混合物から選択され得る。好適な天然油の非限定的な例としては、アセチル化ヒマシ油、アセチル化水添ヒマシ油、アクティニディア・チネンシス（キウイ）、種子油、アフリカバオバブ油、ククイノキ種子油、アナカーディム・オシデンタール（カシュー）種子油、ラッカセイ（ピーナツ）油、ゴボウ種子油、アルガニアスピノサ核油、アルゲモンメキシカーナ油、アカラスムギ（オートムギ）核油、バーソレシア・エクセルサ種子油、ルリジサ（Borago Officinalis）種子油、アブラナ（ナタネ）種子油、カロフィラムタカマハカ種子油、カメリア・ジャポニカ種子油、カメリアキッシ種子油、カメリアオレイフェラ種子油、キャノーラ油、カプリル酸／カプリン酸／ラウリン酸トリグリセリド、カプリル酸／カプリン酸／リノール酸トリグリセリド、カプリル酸／カプリン酸／ミリスチン酸／ステアリン酸トリグリセリド、カプリル酸／カプリン酸／ステアリン酸トリグリセリド、カプリル酸／カプリン酸トリグリセリド、カーサマス・ティンクトリアス（ハイブリッドベニバナ）種子油、カーサマス・ティンクトリアス（ベニバナ）種子油、ヒメウイキョウ（キャラウェイ）種子油、カルヤ・イリノエンシス（ペカン）種子油、安息香酸ヒマシ油、キノア種子油、タカワラビ油、スイカ（Citrullus Vulgaris）種子油、ココヤシ（ココナツ）油、アラビアコーヒーノキ（コーヒー）種子油、ジュズダマハトムギ（ジュズダマ）種子油、アメリカハシバミ（ハシバミ）種子油、セイヨウハシバミ（ハシバミ）種子油、ククミス・サティウス（キュウリ）油、ペポカボチャ（カボチャ）種子油、ダウカス・キャロータ・サティバ（ニンジン）（Daucus Carota）種子油、アブラヤシ（ヤシ）核油、アブラヤシ（ヤシ）油、ゴシピウム（綿）種子油、ヘリアンサス・アナス（ハイブリッドヒマワリ）油、ヘリアンサス・アナス（ヒマワリ）種子油、ヒッポファエラムノイデス油、ヒト胎盤脂質、水添キャノーラ油、水添ヒマシ油、ラウリン酸水添ヒマシ油、トリイソステアリン酸水添ヒマシ油、水添ヤシ油、水添綿実油、水添Ｃ１２〜１８トリグリセリド、水添魚油、水添豚脂、水添ニシン油、水添オリーブ油、水添オレンジラフィー油、水添ヤシ核油、水添ヤシ油、水添ピーナツ油、水添ナタネ油、水添鮫肝油、水添大豆油、水添ヒマワリ種子油、水添獣脂、水添植物油、アイサティス・ティンクトリア種子油、チョウセングルミ（クルミ）種子油、ラウリン酸／パルミチン酸／オレイン酸トリグリセリド、ウムナンテスアルバ（Umnanthes Alba）（メドウフォーム）種子油、ウナム・ウシタティシマム（Unum Usitatissimum）（アマニ）種子油、ルピナスアルバス種子油、マカデミアインテグリフォリア種子油、マカデミアターニフォリア種子油、マレイン化大豆油、マニフィーラ・インディカ（マンゴー）種子油、マーモット油、メラレウカアルタニフォリア（ティーツリー）葉油、メリアアザジラクタ種子油、コウスイハッカ（バームミント）種子油、メンハーデン油、モリンガプテリゴスペルマ種子油、モルティエラ油、牛脚油、ネルビウム・スペシオサム花精油、ニオイクロタネソウ種子油、メマツヨイグサ（月見草）油、オレアヨーロッパ（オリーブ）果実油、オレアヨーロッパ（オリーブ）殻油、オレンジラフィー油、オーバイニャコフネヤシ（Orbignya Cohune）種子油、オーバイニャオライフェラ種子油、オリザ・サティバ（コメ）糠油、オリザ・サティバ（コメ）胚芽油、ダチョウ油、酸化トウモロコシ油、酸化ハシバミ種子油、オニゲシ（ケシ）種子油、パッションフルーツ種子油、パーシア・グラティッシマ（アボカド）油、ピスタシア・ヴェラ種子油、胎盤脂質、プラヌスアミグダルスアマラ（Prunus Amygdalus Amara）（ビターアーモンド）核油、プラヌスアミグダルスダルシス（Prunus Amygdalus Dulcis）（スイートアーモンド）油、ホンアンズ（アプリコット）核油、セイヨウミザクラ（スイートチェリー）種子油、スミミザクラ（ビターチェリー）種子油、プラナスパーシカ（モモ）核油、ピルスマルス（リンゴ）油、クロフサスグリ（ブラックカラン）種子油、トウゴマ（ヒマシ）種子油、ローザカニーナ果実油、ロサモスカータ種子油、サルビアヒスパニカ種子油、サンタラムアルバム（ビャクダン）種子油、セサマムインディカム（ゴマ）種子油、ソラナムリコペルシコン（トマト）種子油、大豆脂質、スフィンゴ脂質、タラクトゲノスクルジー（Taraktogenos Kurzii）種子油、テルファリアペダータ油、植物油、ヴィティスヴィニヘラ（ブドウ）種子油、ズィーメイス（トウモロコシ）胚芽油、ズィーメイス（トウモロコシ）油、鉱油、及びこれらの混合物が挙げられる。
【００６１】
好適な合成油としては、炭化水素、エステル、アルカン、アルケン、及びこれらの混合物が挙げられる。非限定的な例としては、パルミチン酸イソプロピル、ステアリン酸イソプロピル、イソヘキサデカン、イソドデカン、トリイソステアリン酸ポリグリセリル、及びこれらの混合物が挙げられる。
【００６２】
好適なシリコーン油の非限定的な例としては、ジメチコーン（ジメチコーンと天然／合成油由来の脂肪酸との部分エステルを含む）、シクロメチコーン、フェニル化シリコーン、フェニルトリメチコーン、トリメチルペンタフェニルトリシロキサン、及びこれらの混合物が挙げられる。
【００６３】
市販のシリコーン油の非限定的な例としては、Ｄｏｗ  Ｃｏｒｎｉｎｇ  ２００流体、Ｄｏｗ  Ｃｏｒｎｉｎｇ  ２４４、Ｄｏｗ  Ｃｏｒｎｉｎｇ  ２４５、Ｄｏｗ  Ｃｏｒｎｉｎｇ  ３４４、及びＤｏｗ  Ｃｏｒｎｉｎｇ  ３４５（Ｄｏｗ  Ｃｏｒｎｉｎｇ  Ｃｏｒｐ．から市販される）、ＳＦ−１２０４及びＳＦ−１２０２シリコーン流体（Ｇ．Ｅ．Ｓｉｌｉｃｏｎｅｓから市販されている）、ＧＥ  ７２０７及び７１５８（Ｇｅｎｅｒａｌ  Ｅｌｅｃｔｒｉｃ  Ｃｏ．から市販されている）、並びにＳＷＳ−０３３１４（ＳＷＳ  Ｓｉｌｉｃｏｎｅｓ  Ｃｏｒｐ．から市販されている）、Ｖｉｓｃａｓｉｌシリーズ（Ｇｅｎｅｒａｌ  Ｅｌｅｃｔｒｉｃ  Ｃｏｍｐａｎｙによって販売されている）、ＳＦ  １０７５メチル−フェニル液体（Ｇｅｎｅｒａｌ  Ｅｌｅｃｔｒｉｃ  Ｃｏｍｐａｎｙによって販売されている）、並びに５５６  Ｃｏｓｍｅｔｉｃ  Ｇｒａｄｅ  Ｆｌｕｉｄ（Ｄｏｗ  Ｃｏｒｎｉｎｇ  Ｃｏｒｐ．によって販売されている）、Ｓｉｌｓｈｉｎｅ  １５１（Ｍｏｍｅｎｔｉｖｅによって販売されている）、ＰＨ  １５５５及びＰＨ  １５６０（Ｄｏｗ  Ｃｏｒｎｉｎｇによって販売されている）、並びにＳｉｌｗｅｔ  ７２１０、７２３０及び７２２０等のＳｉｌｗｅｔ（Ｍｏｍｅｎｔｉｖｅから入手可能）が挙げられる。
【００６４】
好適なトリグリセリドは、次式：
【００６５】
【化１】
2019524182.tif 000003
（式中、Ｒ、Ｒ’及びＲ’’は同一、又は他の片方若しくは両方とは異なってもよく、式中、Ｒ、Ｒ’及びＲ’’のそれぞれは脂肪酸であり、式中、トリグリセリド又はそれぞれのトリグリセリドは２５℃で固体である）を有してもよい。
【００６６】
そこからトリグリセリドが形成され得る好適な油としては、本明細書に列記した油が挙げられるが、これらに限定されない。トリグリセリドを形成するのに好適な脂肪酸としては、ミリストレイン酸、パルミトレイン酸、サピエン酸、オレイン酸、リノール酸、αリノレン酸、アラキドン酸、エイコサペンタエン酸、ドコサヘキサエン酸、ラウリン酸（Ｃ１２）、ミリスチン酸（Ｃ１４）、パルミチン酸（Ｃ１６）、ステアリン酸（Ｃ１８）、アラキン酸（Ｃ２０）、及びこれらの混合物が挙げられるが、これらに限定されない。
【００６７】
本明細書に含めるのに好適な具体的なトリグリセリド源としては、シアバター、テオブロマ・カカオ（ココア）シードバター、ココアバター、マニフィーラ・インディカ（マンゴー）シードバター、コクムバター、及びこれらの混合物が挙げられる。特に好ましいのは、シアバター、ココアバター、及びこれらの混合物である。
【００６８】
ワックスには、天然ワックス、合成ワックス、又はこれらの混合物が含まれ得る。天然ワックスは、植物、動物、又は鉱物由来であってよい。好適な天然ワックスの非限定的な例としては、蜜蝋、カルナウバヤシ（カルナバ）ワックス、ユーフォルビアセリフェラ（カンデリラ）ワックス、ホホバワックス、オリザ・サティバ（コメ）ヌカワックス、レモンピールワックス、大豆ワックス、ヒマワリワックス、及びこれらの混合物が挙げられる。
【００６９】
好適な合成ワックスの非限定的な例としては、水添ホホバワックス、合成及びシリコニルホホバワックス、水添マイクロクリスタリンワックス、マイクロクリスタリンワックス、合成、シリコニル及び水添コメヌカワックス、セレシン、オゾケライト、パラフィン、ベヘニル蜜蝋、合成、シリコニル及び水添蜜蝋、合成、水添及びシリコニルカンデリラワックス、合成、水添及びシリコニルカルナバワックス、合成、水添及びシリコニルレモンピールワックス、合成、シリコニル及び水添大豆ワックス、合成、シリコニル及び水添ヒマワリワックス、並びにこれらの混合物が挙げられる。好ましい天然及び合成ワックスは、蜜蝋、マイクロクリスタリンワックス、キャンデリラワックス、オゾケライト、及びこれらの混合物である。
【００７０】
好適なシリコーンワックスの非限定的な例としては、ＤＣ５８０ワックスなどのステアロキシトリメチルシラン、ＤＣ  ＡＭＳ−Ｃ３０コスメティックワックスとして入手可能なＣ３０−４５アルキルメチコン、ＤＣ  Ｓｉｌｋｙｗａｘ１０として入手可能なステアロキシメチルシラン、ＤＣ  ＳＴ−ワックス３０などのＣ２４−５４アルキルメチコン、Ｃ３０−４５アルキルジメチルシリル、ＤＣ  ＳＷ−８００５レジンワックスとして入手可能なポリプロピル−シルセスキオキサン、及びこれらの混合物が挙げられる。
【００７１】
スキンケア活性剤として好適な特に好ましい油、ワックス、又は脂肪は、ＰＤＭＳシリコーン流体、鉱油、及びワセリン、オリーブオイル誘導体などの天然由来の油、又はこれらの混合物から選択される。一例では、脂肪、油、及び／又はワックスは、水溶性フィラメントの乾燥重量ベースで約０．０１％〜約６０％  ｗ／ｗ、好ましくは、水溶性フィラメントの約１重量％〜約４０重量％、より好ましくは約５重量％〜約３０重量％の範囲で存在する。
【００７２】
別の例では、脂肪、油、及び／又はワックスの量は、フィラメント又は成形されたウェブ上にコーティングとして存在し得る。このような実施形態では、脂肪、油、及び／又はワックスは、約４：１（ウェブ：脂肪、油、及び／又はワックス）〜約１：８（ウェブ：脂肪、油、及び／又はワックス）の重量比で存在し得る。このような実施形態では、脂肪、油、及び／又はワックスは、個々のフィラメントの表面中若しくは上に存在してもよく、又は以後に論じるように形成されたウェブにコーティングとして塗布されてもよい。
【００７３】
ｉｉ．界面活性剤
好適な界面活性剤の非限定的な例としては、アニオン性界面活性剤、カチオン性界面活性剤、非イオン性界面活性剤、双極性イオン界面活性剤、両性界面活性剤、及びこれらの混合物が挙げられる。
【００７４】
ａ．アニオン性界面活性剤
好適なアニオン性界面活性剤の非限定的な例としては、アルキルサルフェート、アルキルエーテルサルフェート、分枝状アルキルサルフェート、分枝状アルキルアルコキシレート、分枝状アルコキシレートサルフェート、中鎖分枝状アルキルアリルスルホネート、硫酸化モノグリセリド、スルホン化オレフィン、アルキルアリルスルホネート、第一級又は第二級アルカンスルホネート、アルキルスルホスクシネート、アシルタウレート、アシルイセチオネート、アルキルグリセリルエーテルスルホン酸塩、スルホン化メチルエステル、スルホン化脂肪酸、アルキルホスフェート、アシルグルタメート、アシルサルコシネート、アルキルスルホアセテート、アシル化ペプチド、アルキルエーテルカルボキシレート、アシルラクチレート、アニオン性フルオロ界面活性剤、ラウロイルグルタミン酸ナトリウム、及びこれらの組み合わせが挙げられる。
【００７５】
本明細書において用いるのに好適なアルキルサルフェート及びアルキルエーテルサルフェートとしては、それぞれ式ＲＯＳＯ３Ｍ及びＲＯ（Ｃ２Ｈ４Ｏ）ｘＳＯ３Ｍ（式中、Ｒは約８〜約２４個の炭素原子のアルキル又はアルケニルであり、ｘは１〜１０であり、Ｍは水溶性カチオン、例えばアンモニウム、ナトリウム、カリウム、及びトリエタノールアミンである）を有する物質が挙げられる。他の好適なアニオン性界面活性剤は、ＭｃＣｕｔｃｈｅｏｎ’ｓ  Ｄｅｔｅｒｇｅｎｔｓ  ａｎｄ  Ｅｍｕｌｓｉｆｉｅｒｓ，Ｎｏｒｔｈ  Ａｍｅｒｉｃａｎ  Ｅｄｉｔｉｏｎ（１９８６），Ａｌｌｕｒｅｄ  Ｐｕｂｌｉｓｈｉｎｇ  Ｃｏｒｐ．及びＭｃＣｕｔｃｈｅｏｎ’ｓ，Ｆｕｎｃｔｉｏｎａｌ  Ｍａｔｅｒｉａｌｓ，Ｎｏｒｔｈ  Ａｍｅｒｉｃａｎ  Ｅｄｉｔｉｏｎ（１９９２），Ａｌｌｕｒｅｄ  Ｐｕｂｌｉｓｈｉｎｇ  Ｃｏｒｐ．に記載されている。
【００７６】
ｂ  非イオン性界面活性剤
非イオン性界面活性剤の非限定的な例は、ポリエチレンオキシド（ＰＥＯ）とポリプロピレンオキサイド（ＰＰＯ）とのコポリマー、及びポリソルベートと脂肪酸とのコポリマーである。これら材料は、それぞれＰｌｕｒｏｎｉｃ及びＴＷＥＥＮの商標名で市販されている。
【００７７】
このＰＥＯ／ＰＰＯコポリマーは、任意の平均分子量を有する場合がある。有利なことには、ＰＥＯ／ＰＰＯコポリマーは、少なくとも５，０００、好ましくは１０，０００〜２０，０００の範囲、より好ましくは１１，０００〜１５，０００、更により好ましくは１２，０００〜１３，０００、更により好ましくは１２，２５０〜１２，７５０の平均分子量を有する。理論に束縛されるものではないが、十分な分子量のＰＥＯ／ＰＰＯコポリマーの含有は、水溶液中の水溶性ポリマーの潤滑特性、特にポリエチレンオキシドに対する潤滑特性を更に改善し、ひいては使用する際の望ましくない感覚を防ぐと考えられる。
【００７８】
ＰＥＯ／ＰＰＯコポリマーは、任意の配設としてもよいが、例えば、ジブロックコポリマー、トリブロックコポリマー、マルチブロックコポリマー、ラジアルブロックコポリマー、又はランダムブロックコポリマーなどの、ブロックコポリマーとするのが有利である。好ましくは、ＰＥＯ／ＰＰＯコポリマーは、トリブロックコポリマー、より好ましくは、ＰＥＯ−ＰＰＯ−ＰＥＯのシーケンスを有するトリブロックコポリマーである。ＰＥＯとＰＰＯとのかかるトリブロックコポリマーは、ＢＡＳＦからＰｌｕｒａｃａｒｅという商品名で、及びＳｉｇｍａ−ＡｌｄｒｉｃｈからＰｌｕｒｏｎｉｃという商品名で市販されている。
【００７９】
ＴＷＥＥＮ（商標）は、脂肪酸によるソルビトールのエステル化によって形成されるエトキシル化エステルである。エトキシル化及びエステル化の程度はいずれも、脂肪酸アルキル鎖の長さとして変更することができる。例えば、脂肪酸鎖は、ラウリン酸（Ｃ１２）からステアリン酸（Ｃ１８）及びオレイン酸（Ｃ１８：１）に及び得る。エトキシル化は、４〜２０単位で変動し得る。エトキシル化度を高め、脂肪酸鎖の分子量を減少させることにより、材料の水溶解度が増大し、それによってＨＬＢが増加する。好ましくは、親水性挙動が優勢であるＴＷＥＥＮが選択され、これらは、典型的には、ＨＬＢが１１以上のＴＷＥＥＮである。好ましくは、ＨＬＢは少なくとも１１であり、更により好ましくは１３超であり、最も好ましいＨＬＢは１５超である。
【００８０】
非イオン性界面活性剤の濃度は、典型的には、フィラメント又はウェブの乾燥重量ベースで約０．０１％〜約１５％  ｗ／ｗの範囲である。
【００８１】
ｃ．双極性イオン界面活性剤
双極性又は両性界面活性剤の非限定例としては、二級及び三級アミンの誘導体、複素環式二級及び三級アミンの誘導体、又は四級アンモニウム、四級ホスホニウム、若しくは三級スルホニウム化合物の誘導体が挙げられる。双極性イオン界面活性剤の例については、米国特許第３，９２９，６７８号、１９欄目、３８行目〜２２欄目、４８行目を参照；アルキルジメチルベタイン及びココジメチルアミドプロピルベタインを含むベタイン、Ｃ８〜Ｃ１８（例えばＣ１２〜Ｃ１８）アミンオキシド、並びにスルホ及びヒドロキシベタイン、例えば、アルキル基がＣ８〜Ｃ１８、特定の実施形態ではＣ１０〜Ｃ１４であり得るＮ−アルキル−Ｎ，Ｎ−ジメチルアミノ−１−プロパンスルホネートなど。
【００８２】
ｉｉｉ．香料
１つ以上の香料及び／又は香料原材料（例えばアコード及び／又はノート）又は香料成分を、本発明のフィラメント又はウェブ又は剃毛補助具のうちの１つ以上に組み込んでもよい。香料は、アルデヒド香料成分、ケトン香料成分、及びこれらの混合物からなる群から選択される香料成分を含んでもよい。
【００８３】
香料及び／又は香料成分として有用な広範な天然及び合成化学成分としては、アルデヒド、ケトン、エステル、及びこれらの混合物が挙げられるが、これらに限定されない。オレンジ油、レモン油、バラ抽出物、ラベンダー、ムスク、パチョリ、バルサムエキス、サンダルウッド油、パイン油、シーダーなどの成分の複雑な混合物を含むことができる様々な天然の抽出物及びエキスも挙げられる。最終香料は、そのような成分の非常に複雑な混合物を含むことができる。典型的には、完成した香料は、乾燥フィラメントベース乾燥ウェブベースで、又は剃毛補助具の％ｗ／ｗとして約０．０１重量％〜約２重量％含まれる。
【００８４】
香料は、シクロデキストリン、脆弱なミクロスフィア、無機担体物質、若しくはデンプン封入アコード、又はこれらの混合物が挙げられるがこれらに限定されない、原材料として含まれてもよく、又は香料送達系に含まれてもよい。
【００８５】
ｉｉｉ．第四級アンモニウムポリマー
本発明のフィラメント、ウェブ、及び剃毛補助具は、更に、皮膚コンディショニング剤としてカチオン性ポリマーを更に含んでいてもよい。また、このようなポリマーは、フィラメント形成材料として利用してもよいが、更なるスキンコンディショニング効果をもたらすために、成形されたフィラメント又はウェブにコーティングとして更に添加してもよい。フィラメント中のカチオン性ポリマーの濃度は、コーティングとして存在するとき、典型的には乾燥フィラメントベースで約０．０５重量％〜約３重量％、及び／又は約０．０７５重量％〜約２．０重量％、及び／又は約０．１重量％〜約１．０重量％の範囲である。あるいは、コーティング組成物は、第四級アンモニウムポリマーを含んでいてもよく、好ましくは、フィラメント、ウェブ、及び又は剃毛補助具の０％〜２０％  ｗ／ｗ、より好ましくは０％〜１０％  ｗ／ｗで存在する。
【００８６】
好適なカチオン性ポリマーの非限定的な例は、約３〜約９、及び／又は約４〜約８のｐＨにおいて、少なくとも０．５ｍｅｑ／ｇｍ、及び／又は少なくとも０．９ｍｅｑ／ｇｍ、及び／又は少なくとも１．２ｍｅｑ／ｇｍ、及び／又は少なくとも１．５ｍｅｑ／ｇｍのカチオン性電荷密度を有し得る。一例では、コンディショニング剤として好適なカチオン性ポリマーは、ｐＨ約３〜約９及び／又は約４〜約８で、７ｍｅｑ／ｇｍ未満、及び／又は５ｍｅｑ／ｇｍ未満のカチオン性電荷密度を有し得る。本明細書において、ポリマーの「正電荷密度」とは、ポリマー上の正電荷数の、ポリマーの分子量に対する比を指す。このような好適なカチオン性ポリマーの重量平均分子量は一般に、約１０，０００〜１０，０００，０００であり、１つの実施形態では、約５０，０００〜約５，０００，０００であり、別の実施形態では、約１００，０００〜約３，０００，０００である。
【００８７】
本明細書に用いるのに好適なカチオン性ポリマーは、第四級アンモニウムなどのカチオン性窒素含有部分及び／又はカチオン性プロトン化アミノ部分を含有し得る。カチオン性ポリマーに関連して、任意のアニオン性対イオンを使用してよいが、ただし、当該カチオン性ポリマーは、水に可溶性のままであり、また、当該対イオンは、フィラメントの他の構成成分と物理的及び化学的に適合性であるか、そうでなければフィラメントの製品性能、安定性、又は審美性を過度に損なわないことを条件とする。そのような対イオンの非限定的な例には、ハロゲン化物（例えば、塩化物、フッ化物、臭化物、ヨウ化物）、サルフェート、及びメチルサルフェートが挙げられる。そのようなカチオン性ポリマーの非限定的な例は、「ＣＴＦＡ  Ｃｏｓｍｅｔｉｃ  Ｉｎｇｒｅｄｉｅｎｔ  Ｄｉｃｔｉｏｎａｒｙ」，３ｒｄ  ｅｄｉｔｉｏｎ，ｅｄｉｔｅｄ  ｂｙ  Ｅｓｔｒｉｎ，Ｃｒｏｓｌｅｙ，ａｎｄ  Ｈａｙｎｅｓ，（Ｔｈｅ  Ｃｏｓｍｅｔｉｃ，Ｔｏｉｌｅｔｒｙ，ａｎｄ  Ｆｒａｇｒａｎｃｅ  Ａｓｓｏｃｉａｔｉｏｎ，Ｉｎｃ．，Ｗａｓｈｉｎｇｔｏｎ，Ｄ．Ｃ．（１９８２））に記載されている。
【００８８】
本発明のフィラメント、ウェブ、又は剃毛補助具で使用するための他の好適なカチオン性ポリマーとしては、カチオン性多糖ポリマー、カチオン性グアーガム誘導体、第四級窒素含有セルロースエーテル、カチオン性合成ポリマー、エーテル化セルロース、グアー、及びデンプンのカチオン性コポリマーが挙げられる。使用する場合、本明細書におけるカチオン性ポリマーは水に可溶性である。更に、本発明のフィラメントで使用するのに好適なカチオン性ポリマーは、米国特許第３，９６２，４１８号、同第３，９５８，５８１号、及び米国特許出願第２００７／０２０７１０９（Ａ１）号に記載されており、これらは全て参照により本明細書に組み込まれる。
【００８９】
フィラメント、ウェブ、及び又は剃毛補助具中のコンディショニング剤の濃度は、所望のコンディショニング効果を提供するのに十分であり得る。このような濃度は、コンディショニング剤、所望のコンディショニング性能、コンディショニング剤粒子の平均サイズ、他の成分の種類及び濃度、並びに他の類似の要因に応じて変動し得、適宜選択され得る。
【００９０】
ｉｖ．湿潤剤
本発明のフィラメント、ウェブ、又は剃毛補助具は、１つ以上の湿潤剤を含有していてよい。本明細書における保湿剤は、多価アルコール、水溶性アルコキシル化非イオン性ポリマー、及びこれらの混合物からなる群から選択される。
【００９１】
ｖ．冷却剤化合物
本発明のフィラメント、ウェブ、又は剃毛補助具は、１つ以上の冷却剤化合物を含有し得る。天然起源又は合成起源の多数の冷却剤化合物が知られている。天然冷却剤の中でも、ペパーミント油、樟脳、ユーカリ油、チモール及びラベンダー油が最も一般的である。合成冷却剤の中でも、その多くは、メントールの誘導体であるか、又はメントールと構造的に関連している。すなわち、シクロヘキサン部分を含有し、カルボキサミド、ケタール、エステル、エーテル、及びアルコールを含む官能基で誘導体化されている。非限定的な例としては、シュウ酸メチルメチルアミド（Ｓｙｍｒｉｓｅから商品名Ｆｒｅｓｃｏｌａｔ  Ｘ−ｃｏｏｌとして入手可能）、乳酸メンチル（Ｓｙｍｒｉｓｅから入手可能なＦｒｅｓｃｏｌａｔｅ  ＭＬ  Ｎａｔｕｒａｌなど）、及びメンチルＰＣＡとしても知られているカルボン酸メンチルピロリドン（Ｇｉｖａｕｄａｎから商品名Ｑｕｅｓｔｉｃｅｓとして入手可能）が挙げられる。
【００９２】
ｖｉ．着色剤
本発明のフィラメント、ウェブ、又は剃毛補助具は、１つ以上の着色剤又は着色料を含んでもよい。着色剤は、所望の色を作るのに効果的な量で使用され得る。本発明において有用な着色剤としては、食品、薬品、及び化粧品用途に好適な二酸化チタン、及び／又は酸化鉄、雲母系顔料、天然食品着色剤、及び染料、並びにこれらの混合物などの顔料が挙げられる。
【００９３】
追加の添加剤
ｉ．懸濁化剤
本発明のフィラメントは、非水溶性物質を組成物中に分散させた形態で懸濁するために、又はフィラメント形成組成物の粘度を調節するために有効な濃度で、懸濁化剤を更に含んでもよい。懸濁化剤のこのような濃度は、乾燥フィラメントベースで約０．１重量％〜約１０重量％、及び／又は約０．３重量％〜約５．０重量％の範囲である。
【００９４】
好適な懸濁化剤の非限定的な例としては、アニオン性ポリマー及び非イオン性ポリマー（例、ビニルポリマー、アシル誘導体、長鎖アミンオキシド、及びこれらの混合物、脂肪酸のアルカノールアミド、長鎖アルカノールアミドの長鎖エステル、グリセリルエステル、少なくとも約１６個の炭素原子を有する脂肪アルキル部分を有する一級アミン、少なくとも約１２個の炭素原子をそれぞれ有する２つの脂肪アルキル部分を有する二級アミン）が挙げられる。懸濁化剤の例は、米国特許第４７４１８５５号に記載されている。
【００９５】
ｉｉ．その他の添加剤
本発明のフィラメント及び／又はウェブは、１つ以上の賦形剤を含んでいてもよい。賦形剤の非限定的な例としては、非水溶性フィラメント形成材料又は非水溶性フィラメント、審美剤、キレート剤、防腐剤、ＵＶ吸収剤、固体又は他の液体充填剤、コロイドシリカ、プロバイオティクス、付着助剤、ＢＨＴ、パールエッセンス剤、発泡剤、変色系、乳白剤、ビタミン及びアミノ酸、例えば、水溶性ビタミン及びその誘導体、水溶性アミノ酸並びにその塩及び／又は誘導体、水不溶性アミノ酸、粘度調整剤、染料、不揮発性溶媒又は希釈剤（水溶性及び不溶性）、真珠光沢助剤、起泡増進剤、防腐剤、伝熱剤、タンパク質、日焼け止め剤、ナイアシンアミド、又はこれらの組み合わせを挙げることができる。一例では、本発明のフィラメントは、フィラメント、ウェブ、又は剃毛補助具内の１つ以上の活性剤がフィラメントから放出されたときを識別する信号（視覚、音、におい、感触、味）を提供する加工助剤及び／又は材料を含んでもよい。好適な非水溶性フィラメント形成材料及びフィラメントは、例えば、ポリアミド及びポリエステル、並びにこれらの混合物を含む。一実施形態では、フィラメント及び又は剃毛補助具は、当該非水溶性ポリマーを実質的に含まない。
【００９６】
フィラメント形成組成物
本発明のフィラメントは、フィラメント形成組成物から作製される。フィラメント形成組成物は極性溶媒系組成物である。一例では、フィラメント形成組成物は、１つ以上のフィラメント形成材料と、任意追加的に、１つ以上の添加剤及び又は活性剤を含む水性組成物である。フィラメント形成材料は、好ましくは、水溶性材料である。
【００９７】
本発明のフィラメント形成組成物は、本明細書に記載される剪断粘度試験法に従って測定したとき、３，０００秒−１の剪断速度及び加工温度（５０℃〜１００℃）における測定で、約１パスカル×秒〜約２５パスカル×秒、及び／又は約２パスカル×秒〜約２０パスカル×秒、及び／又は約３パスカル×秒〜約１０パスカル×秒の剪断粘度を有し得る。
【００９８】
フィラメント形成組成物は、フィラメント形成組成物からフィラメントを作製するとき、約５０℃〜約１００℃、及び／又は約６５℃〜約９５℃、及び／又は約７０℃〜約９０℃の温度で加工してよい。
【００９９】
一例では、フィラメント形成組成物は、少なくとも２０重量％、及び／又は少なくとも３０重量％、及び／又は少なくとも４０重量％、及び／又は少なくとも４５重量％、及び／又は少なくとも５０重量％から約９０重量％、及び／又は約８５重量％、及び／又は約８０重量％、及び／又は約７５重量％の１つ以上のフィラメント形成材料、１つ以上の添加剤、及びこれらの混合物を含み得る。フィラメント形成組成物は、約１０重量％〜約８０％の極性溶媒、例えば水を含んでいてもよい。
【０１００】
フィラメント形成組成物は、フィラメント形成組成物がヒドロキシルポリマー繊維に有効にポリマー加工され得るように、少なくとも１、及び／又は少なくとも３、及び／又は少なくとも５の毛管数を呈してもよい。
【０１０１】
毛管数は、この液滴の破断の可能性を特徴付けるために使用される無次元数である。大きい毛管数は、ダイを出る際の流体安定性がより大きいことを示す。毛管数は以下のように定義される。
【０１０２】
【数１】
2019524182.tif 000004
Ｖは、ダイ出口における流体速度であり（時間当たりの長さの単位）、
ηは、ダイの条件における流体粘度（長さ×時間当たりの質量の単位）であり、
σは、流体の表面張力（時間の二乗当たりの質量の単位）である。速度、粘度、及び表面張力が一連の一貫した単位で表されるとき、得られる毛管数は、それ自体の単位を有さず、個々の単位は無効になる。
【０１０３】
毛管数はダイの出口での状態に対して定義される。流体速度は、ダイの孔を通過する流体の平均速度である。平均速度は、以下のとおり定義される：
【０１０４】
【数２】
2019524182.tif 000005
Ｖｏｌ’＝体積流量（時間当たりの長さの三乗の単位）であり、
面積＝ダイ出口の断面積（長さの二乗の単位）である。
【０１０５】
ダイの孔が円形の穴である場合、流体速度は、以下のとおり定義することができる：
【０１０６】
【数３】
2019524182.tif 000006
Ｒは、円形の穴の半径（長さの単位）である。
【０１０７】
流体粘度は、温度に依存し、剪断速度に依存し得る。ずり減粘流体の定義は、剪断速度に対する依存を含む。表面張力は、流体の構成及び流体の温度に依存する。
【０１０８】
フィラメント紡糸プロセスでは、フィラメントはダイを出るときに初期安定性を有する必要がある。毛管数は、この初期安定性基準を特徴付けるために使用される。ダイの状態では、毛管数は１を超える、及び／又は４を超える必要がある。
【０１０９】
一例では、フィラメント形成組成物は、少なくとも１〜約５０、及び／又は少なくとも３〜約５０、及び／又は少なくとも５〜約３０の毛管数を呈する。本発明のフィラメント形成組成物は、３，０００秒−１の剪断速度及び加工温度（５０℃〜１００℃）において測定したとき、約１パスカル×秒〜約２５パスカル×秒、及び／又は約２パスカル×秒〜約２０パスカル×秒、及び／又は約３パスカル×秒〜約１０パスカル×秒の剪断粘度を有し得る。
【０１１０】
フィラメント形成組成物は、フィラメント形成組成物から繊維を作製するとき、約５０℃〜約１００℃、及び／又は約６５℃〜約９５℃、及び／又は約７０℃〜約９０℃の温度で加工してよい。
【０１１１】
一例では、紡糸組成物の不揮発性成分は、約２０％、及び／又は約３０％、及び／又は４０％、及び／又は４５％、及び／又は５０％から約７５％、及び／又は８０％、及び／又は８５％、及び／又は９０％含まれ得る。不揮発性成分は、主鎖ポリマー、活性剤、及びこれらの組み合わせなど、フィラメント形成組成物から構成されてもよい。紡糸組成物の揮発性成分は、残りの割合含まれ、１０％〜８０％の範囲である。
【０１１２】
フィラメント形成組成物は、フィラメント形成組成物が有効にヒドロキシルポリマー繊維にポリマー加工され得るように、少なくとも１、及び／又は少なくとも３、及び／又は少なくとも５の毛管数を呈し得る。
【０１１３】
毛管数は、この液滴の破断の可能性を特徴付けるために使用される無次元数である。大きい毛管数は、ダイを出る際の流体安定性がより大きいことを示す。毛管数は以下のように定義される。
【０１１４】
【数４】
2019524182.tif 000007
Ｖは、ダイ出口における流体速度であり（時間当たりの長さの単位）、
ηは、ダイの条件における流体粘度（長さ×時間当たりの質量の単位）であり、
σは、流体の表面張力（時間の二乗当たりの質量の単位）である。速度、粘度、及び表面張力が一連の一貫した単位で表されるとき、得られる毛管数は、それ自体の単位を有さず、個々の単位は無効になる。
【０１１５】
毛管数はダイの出口での状態に対して定義される。流体速度は、ダイの孔を通過する流体の平均速度である。平均速度は、以下のとおり定義される：
【０１１６】
【数５】
2019524182.tif 000008
Ｖｏｌ’＝体積流量（時間当たりの長さの三乗の単位）であり、
面積＝ダイ出口の断面積（長さの二乗の単位）である。
【０１１７】
ダイの孔が円形の穴である場合、流体速度は、以下のとおり定義することができる：
【０１１８】
【数６】
2019524182.tif 000009
Ｒは、円形の穴の半径（長さの単位）である。
【０１１９】
流体粘度は、温度に依存し、剪断速度に依存し得る。ずり減粘流体の定義は、剪断速度に対する依存を含む。表面張力は、流体の構成及び流体の温度に依存する。
【０１２０】
フィラメント紡糸プロセスでは、フィラメントはダイを出るときに初期安定性を有する必要がある。毛管数は、この初期安定性基準を特徴付けるために使用される。ダイの状態では、毛管数は１を超える、及び／又は４を超える必要がある。
【０１２１】
１つの例では、フィラメント形成組成物は、少なくとも１〜約５０、及び／又は少なくとも３〜約５０、及び／又は少なくとも５〜約３０の毛管数を呈する。
【０１２２】
一例では、フィラメント形成組成物は、１つ以上のブロッキング防止剤及び／又は粘着性除去剤を含み得る。好適なブロッキング防止剤及び／又は粘着性除去剤の非限定例としては、デンプン、加工デンプン、架橋ポリビニルピロリドン、架橋セルロース、微結晶セルロース、シリカ、金属酸化物、炭酸カルシウム、タルク及び雲母が挙げられる。
【０１２３】
本発明の添加剤及び又は活性剤は、フィラメント形成前に及び／若しくはフィラメント形成中にフィラメント形成組成物に添加してもよく、並びに／又はフィラメント形成後にフィラメントに添加してもよい。例えば、香料活性剤は、本発明に従ってフィラメント及び／又はウェブを形成した後に、フィラメント及び／又は当該フィラメントを含むウェブに適用してよい。別の例では、フィラメントを作製するための紡糸プロセスを通過するのに好適ではない可能性がある添加剤又は活性剤は、本明細書で論じられるコーティングを含む任意の好適な方法によって本発明に係るフィラメント及び／又はウェブを形成した後にフィラメント及び／又は当該フィラメントを含むウェブに適用してもよい。
【０１２４】
ウェブ
本発明の１つ以上の及び／又は複数の水溶性フィラメントは、当該技術分野において既知の任意の好適なプロセスによって不織布ウェブなどのウェブを形成し得る。ウェブは、フィラメント及び／又は不織ウェブの目的とする使用条件、すなわち、剃毛に当該ウェブが曝されたとき、本発明のフィラメントから水溶性フィラメント形成材料、好ましくは潤滑フィラメント形成材料と、任意追加的にスキンケア活性剤とを送達するための形態として使用することができる。ウェブは、約４０ｇｓｍ〜約２５０ｇｓｍの坪量を有し得る。
【０１２５】
本発明のフィラメント及び／又はウェブが固体の形態であったとしても、本発明のフィラメントを作製するために使用されるフィラメント形成組成物が液体の形態である場合がある。
【０１２６】
一例では、ウェブは、組成の観点から同一であるか又は実質的に同一である複数の水溶性フィラメントを含む。また、ウェブは、本発明に係る２つ以上の異なるフィラメントを含み得る。フィラメントの相違点における非限定的な例としては、直径、長さ、質感、形状、剛性、弾性の違いなどの物理的な違い；架橋度、水溶性、融点、Ｔｇ、活性剤、フィラメント形成材料、色、活性剤の濃度、フィラメント形成潤滑材料の濃度、フィラメント上の任意コーティングの存在などの化学的な違い；フィラメントが意図する使用条件に曝されるときに、フィラメントが物理的構造を失うかどうかの違い；フィラメントが目的とする使用条件に曝されたときにフィラメントの形態が変化するかどうかの違い；並びに目的とする使用条件に曝されたときにフィラメントが溶解する速度の違いであり得る。ウェブ内の２つ以上のフィラメントは、同じフィラメント形成材料を含むが、異なる活性剤を有してもよい。例えば、これは、異なる活性剤が互いに非相溶性である場合であり得る。また、ウェブは、任意追加的に、１つ以上の非水溶性フィラメントも含み得る。
【０１２７】
ウェブは、単一層として設けられてもよく、又は少なくとも２層、好ましくは複数の層を含んでいてもよい。ウェブの各層は、上で論じたように物理的又は化学的特性の観点で異なっていても同一であってもよい。一実施形態では、ウェブは、４０〜１９０ｇｓｍの坪量を有する個々のウェブを使用して作製された２〜１２層を含み得る。当該層は、典型的には、互いに重ね合わされて積層物を形成する。
【０１２８】
一例では、本発明のウェブは、本明細書に記載される厚さ試験法によって測定したとき、０．０１ｍｍ超、及び／又は０．０５ｍｍ超、及び／又は０．１ｍｍ超、及び／又は約２０ｍｍまで、及び／又は約１０ｍｍまで、及び／又は約５ｍｍまで、及び／又は約２ｍｍまで、及び／又は０．５ｍｍまで、及び／又は約０．３ｍｍまでの厚さを呈する。層及び又はウェブは、好ましくは、それぞれ均一な厚さを有する。
【０１２９】
本発明のフィラメント及びそれから形成されるウェブは、目的とする使用条件においてフィラメント又はウェブの望ましい溶解速度を得るために選択され得る。特に、多層ウェブを使用することにより、特に複数回の剃毛事象中に溶解速度を制御し、それによって、十分な潤滑剤及び又は皮膚活性物質が各剃毛事象中に送達されるのを保証すると同時に、ウェブの構造的一体性を確保し、かつウェブが早く枯渇するのを防ぐことができるようになる。また、多層ウェブは、柔軟性かつ形状適合性である剃毛補助具を供給するという消費者にとって望ましい属性を提供することもできる。
【０１３０】
一例では、（任意のコーティングの非存在下における）本発明のウェブの各個々の層のサンプル１ｇあたりの平均溶解時間は、本明細書に記載される溶解試験法に従って測定したとき、１２０未満、及び／又は１００未満、及び／又は８０未満、及び／又は５５未満、及び／又は５０未満、及び／又は４０未満、及び／又は３０未満、及び／又は２０秒／グラム（ｓ／ｇ）未満である。
【０１３１】
別の例では、（任意のコーティングの非存在下における）複数の層を含む本発明のウェブのサンプル１ｇあたりの平均溶解時間は、本明細書に記載される溶解試験法に従って測定したとき、５０００未満、及び又は４０００未満、及び／又は３５００秒／グラム（ｓ／ｇ）未満である。
【０１３２】
ウェブは、フィラメントの少なくとも３０重量％の水溶性フィラメント、又は少なくとも４０重量％、又は少なくとも５０重量％、又は少なくとも５０重量％、又は少なくとも６０重量％、又は少なくとも７０重量％、又は少なくとも８０重量％、又は少なくとも９０重量％の水溶性フィラメントを含み得る。
【０１３３】
含浸／コーティングされたウェブ
本発明のウェブは、個々のフィラメントの任意のコーティングに加えて又は当該コーティングの非存在下で、スプレーコーティング、ディップコーティング、印刷、及び／又はスロットコーティングが挙げられるがこれらに限定されない当該技術分野において既知の任意の手段によって、１つ以上の添加剤、例えば、スキンケア活性剤で更にコーティングされてもよい。好ましくは、スプレーコーティングを用いて、ウェブの表面上にスキンケア活性剤などの添加物を十分に制御しながら分布させる。好ましくは、活性物質は均一に塗布され、添加剤をウェブに吸い出し、それによって、当該ウェブの表面上に単独では残存しないようにするのに必要な特性を有する。これは、表面張力を低減するために活性物質を添加することによって、又はその粘度を低下させるために高温でスキンケア活性剤を塗布することによって促進され得る。
【０１３４】
コーティングは、ウェブの皮膚に面する上面又は下面の実質的に全体にわたって均一に塗布されてもよく、連続又は不連続なパターンで塗布されてもよい。複数層のウェブが使用される場合、ウェブの層のうちの１つの表面の全て又は少なくとも１つを、連続又は不連続なパターンで添加剤によってコーティングしてよい。これは、複数回の使用事象にわたってウェブの望ましい溶解速度を提供するのを更に容易にし得る。
【０１３５】
コーティングは、周囲条件で液体又はペーストであってもよく、４０〜９０℃、更により好ましくは４０〜６０℃の融点を有する固体であってもよい。コーティングは、均質であってもよく、分散した微粒子相を含有していてもよい。
【０１３６】
コーティングは、親水性又は疎水性のスキンケア活性剤を含み得る。コーティングは、好ましくは、疎水性スキンケア活性剤を含む。これは、皮膚を処理し、特に複数回の剃毛事象中の溶解速度を制御し、それによって、十分な潤滑剤及び又は皮膚活性物質が各剃毛事象中に送達されることを保証すると同時に、ウェブの構造的一体性を確保し、かつウェブ及び皮膚活性剤が早く枯渇するのを防ぐことができるようになるという効果を提供する。好ましくは、コーティングは、ワセリン、ＰＤＭＳ、ポリエチレンオキシド、ワックス、又はこれらの混合物から選択される材料を含み得る。一例では、コーティングは、少なくとも９０％、好ましくは１００％のワセリンで構成される。ウェブに塗布されるコーティングの量は、４：１〜１：８（ウェブ：コーティング）の重量比である。
【０１３７】
一例では、本発明のコーティングされた単一層ウェブのサンプル１ｇあたりの平均溶解時間は、本明細書に記載される溶解試験法に従って測定したとき、１２０未満、及び／又は１００未満、及び／又は８０未満、及び／又は５５未満、及び／又は５０未満、及び／又は４０未満、及び／又は３０未満、及び／又は２０秒／グラム（ｓ／ｇ）未満である。
【０１３８】
別の例では、本発明のコーティングされた多層ウェブのサンプル１ｇあたりの平均溶解時間は、本明細書に記載される溶解試験法に従って測定したとき、１５００未満、及び／又は１４００未満、及び／又は１３００未満、及び／又は１２００秒／グラム（ｓ／ｇ）未満である。
【０１３９】
接合／積層されたウェブ
一実施形態では、ウェブは、少なくとも２〜約２０層、好ましくは２〜１５層、更により好ましくは５〜１２層を含み得る。必要な層の数は、各個々のウェブの坪量に依存し得る。多層ウェブの一体性を確保するために、例えば、積み重ね並びに圧縮及び又は接合技術を使用してこのような多層ウェブを接合させて積層体を形成してもよく、それによって、ウェブの層を重ね合わせ、互いに接合させて積層体を形成する。圧縮又は接合技術としては、熱、圧力、超音波及び／若しくは水、又はこれらの組み合わせの適用が挙げられるがこれらに限定されない。
【０１４０】
一実施形態では、多層ウェブを親ロールに成形してもよく、続いて、このロールの巻きを解き、以下に論じるように又は類似の成形作業を使用して所望の形状に成形してよい。
【０１４１】
多層積層ウェブは、好ましくはそれが用いられるカミソリ物品の所望の形状及びサイズを有する成形型又は型枠内でウェブの層、好ましくはコーティングされた層を重ね合わせることによって形成され得る。ウェブの層は、成形型内に挿入する前に適切なサイズに切断されてもよく、又はこれを積層工程自体中に行ってもよい。好ましい実施形態では、得られた積層体ウェブを、当該ウェブの少なくとも外周縁で又は使用時の望ましい形状及びサイズで接合させる。このように、ウェブは、平面的に見たとき、構造的一体性及び形状適合性の両方を保持する。したがって、得られる積層体は、「封止」又は接合された周縁部よりも積層体の中心においてより低い密度を有する。この積層体を作製するための条件は、フィラメント形成材料、ウェブ形成、及び用いられるコーティングの性質に依存して選択される。別の実施形態では、ウェブの層を当該ウェブの表面の少なくとも一部、好ましくは実質的にウェブの表面全体にわたって互いに接合させる。接合は、連続又は非連続なパターンであってよい。ウェブの積層は、それに構造的一体性をもたらし、使用中にその溶解速度を制御するために利用され得る。
【０１４２】
除毛ヘッド
実施形態によれば、フィラメントは、除毛装置のために特定の用途が見出されている。一例では、フィラメントは、カミソリカートリッジなどの除毛装置の筐体上、又は当該カミソリカートリッジ用の剃毛補助具上に位置する。
【０１４３】
除毛装置は、一般に、除毛ヘッドと、除毛ヘッドを設置するハンドル、つまり把持部と、を含む。除毛装置は、手動であっても電動であってもよく、湿潤及び／又は乾燥用途で用いてよい。除毛ヘッドは、脱毛剤と共に使用される除毛装置などの幅広の掻き取り面を含んでよく、あるいは装置が剃毛かみそりの場合、かみそりカートリッジ又はフォイルであってよい。除毛ヘッドは、取り替え可能及び／又は枢動可能にカートリッジ連結構造体へ、そして順番に又は独立して（例えば、完全に固定して）柄に接続されてよい。いくつかの実施形態では、カートリッジ連結構造体は、除毛ヘッドを解除可能に係合するために少なくとも１つのアームを含む。
【０１４４】
除毛ヘッドは、通常第１の末端部と第２の末端部との間に位置する１つ以上の細長い刃を含み、かかる１つ以上の細長い刃は、かかる第１の末端部に向かって延びる先端部を典型的に含む。除毛ヘッドがかみそりカートリッジの場合、１つ又は２つ以上の細長い刃（edges）は刃（blades）を含んでよい。このような実施形態は、典型的には、筐体と、そこに収容されている刃と、を含む。
【０１４５】
フィラメント又はそのウェブは、筐体の少なくとも一部分上、例えば、その皮膚接触面上に位置してもよい、及び又は従来の若しくはフィラメント形成された性質のいずれかの剃毛補助具の表面上に、若しくは当該剃毛補助具と一体的に設けられてもよい。例えば、米国特許第７，１６８，１７３号は、Ｔｈｅ  Ｇｉｌｌｅｔｔｅ  Ｃｏｍｐａｎｙから市販され、複数の刃を有するかみそりカートリッジを含む、Ｆｕｓｉｏｎ（登録商標）かみそりを概して説明している。更に、かみそりカートリッジは、ガード及び皮膚係合部材を含んでよい。様々なかみそりカートリッジを本発明に基づいて使用することができる。フィン、ガード、及び／又は剃毛補助具を有する及び有しない好適なカミソリカートリッジの非限定的な例としては、Ｆｕｓｉｏｎ（登録商標）、Ｖｅｎｕｓ（登録商標）の製品ラインでＴｈｅ  Ｇｉｌｌｅｔｔｅ  Ｃｏｍｐａｎｙによって販売されているもの、並びに米国特許第７，１９７，８２５号、同第６，４４９，８４９号、同第６，４４２，８３９号、同第６，３０１，７８５号、同第６，２９８，５５８号、同第６，１６１，２８８号、及び米国特許公開第２００８／０６０２０１号に開示されているものが挙げられる。当業者は、本明細書で定義される剃毛補助具を、２枚、３枚、４枚、又は５枚の刃を有するものを含む、任意の現在販売されているシステム又は使い捨てカミソリと共に使用できることを理解するであろう。このような場合、除毛装置はかみそりであり、除毛ヘッドはかみそりカートリッジであり、かつ１つ以上の細長い刃（edges）は刃（blades）である。他の実施形態では、除毛装置は、除毛組成物、すなわち脱毛剤と共に使用するための掻き取り具である。
【０１４６】
いくつかの実施形態では、剃毛補助具は、刃前方及び／又は後方の、除毛プロセス中に皮膚と接触するカートリッジの部分上に位置する。１つ以上の細長い刃の「前方」にある機構は、例えば、除毛装置で処理される表面が細長い刃と接触する前にその機構に接触するように配置される。細長い刃の「後方」にある機構は、除毛装置で処理される表面が細長い刃と接触した後にその機構に接触するように配置される。１つを超える剃毛補助具を除毛装置上に設ける場合、当該剃毛補助具は、物理的な形状／構造及び／又は化学組成の観点で同じ（同一）であってもよく、異なっていてもよい。
【０１４７】
いくつかの特定の実施形態では、複数の（例えば、２つ、第１及び第２の）剃毛補助具を除毛ヘッド上に設けてよく、第１の剃毛補助具は同じ組成を含むか又は異なる。これら剃毛補助具は、細長い刃（例えば、カミソリカートリッジの刃）の前方又は後方にまとめて（例えば、互いに隣接して）配置してもよく（並べて配置することを含む）、又は一方が細長い刃の前方で他方が後方になるように別々に配置してもよい。
【０１４８】
別の実施形態では、剃毛補助具の少なくとも一部は、直線状でなくてもよく、例えば角度が付いているか又は曲線状である。本明細書で定義される曲線状とは、少なくとも一部分が直線を形成せずに湾曲していることを意味する。少なくとも２つの剃毛補助具を設ける場合、当該剃毛補助具は、直線を形成しないように互いに対して配置されてもよい。
【０１４９】
いくつかの実施形態では、剃毛補助具の曲線状の又は角度の付いた性質は、少なくとも部分的なリングを形成するようなものである。本明細書で定義される場合、部分的なリングとは、構造が、内部領域を形成する凹部である、少なくとも２つの湾曲した、又は角度の付いた区分を有することを意味する。部分的なリングは、かかる内部領域に対して凸状に位置付けられた湾曲した又は角度の付いた部分も含むことができる。上記剃毛補助具のうち１つ以上は、完全なリングを形成するように互いに対して配置されてもよい。リングは、単一の剃毛補助具によって形成されてもよいが、このようなリングを形成するために、２つ以上をその末端部で若しくは末端部の付近で接触させるか、又は更には重ねてもよい。
【０１５０】
剃毛補助具は、接着剤などの好適な取り付け手段、機械的保持機構の使用を利用して自立していてもよく、又は容器内に少なくとも部分的に収容されていてもよい。２つ以上の剃毛補助具を含む実施形態については、本発明のフィラメントは、剃毛補助具のうちの１つ以上の上に存在してもよく、剃毛補助具の全てに存在してもよく、又は剃毛補助具のいずれにも存在しなくてもよい。
【０１５１】
除毛ヘッドは、典型的には非フィラメント形態で使用中に潤滑を提供することを目的とする、水溶性ポリマーなどの潤滑剤を含む従来の剃毛補助具を含み得る。水溶性ポリマーの例としては、ポリエチレンオキシド、ポリビニルピロリドン、ポリアクリルアミド、ポリヒドロキシメタクリレート、ポリビニルイミダゾリン、ポリエチレングリコール、ポリビニルアルコール、ポリヒドロキシエチメタクリレート、シリコーンポリマー、及びこれらの混合物が挙げられる。いくつかの実施形態では、当該水溶性ポリマーは、ポリビニルアルコール、ポリエチレンオキシド、ポリエチレンとポリプロピレンオキシドとのコポリマー、ポリエチレングリコール、及びこれらの混合物からなる群から選択される。
【０１５２】
水溶性ポリマーは、好ましくは、剃毛補助具の少なくとも約５０重量％、より好ましくは少なくとも約６０重量％、最大約９９％（又は潤滑材料の最大約９０％）含まれる。例えば、水溶性ポリマーは、潤滑材料の少なくとも約５０重量％、好ましくは約５０重量％〜約９９．９重量％、より好ましくは約６０重量％〜約９５重量％（例えば、約９０重量％〜約９５重量％）、更により好ましくは約７０重量％〜約９０重量％の量で存在し得る。より好ましい水溶性ポリマーは、ＰＯＬＹＯＸ（Ｕｎｉｏｎ  Ｃａｒｂｉｄｅ  Ｃｏｒｐｏｒａｔｉｏｎから入手可能）又はＡＬＫＯＸ（明成化学工業株式会社（日本、京都）から入手可能）として一般的に知られているポリエチレンオキシドである。水溶性ポリマー（特にこれらのポリエチレンオキシド）は、好ましくは、少なくとも約２０，０００、少なくとも約５０，０００、少なくとも約１００，０００、又は約１００，０００〜６００万、好ましくは約３００，０００〜５００万の平均分子量を有する。特に好ましいポリエチレンオキシドは、約４０％〜８０％の、約５００万の平均分子量を有するポリエチレンオキシド（例えば、ＰＯＬＹＯＸ  ＣＯＡＧＵＬＡＮＴ）と、約６０％〜２０％の、約３００，０００の平均分子量を有するポリエチレンオキシド（例えば、ＰＯＬＹＯＸ  ＷＳＲ−Ｎ−７５０）と、のブレンドを含む。また、ポリエチレンオキシドブレンドは、有利なことに、最大約１０重量％（例えば、約５重量％）の低分子量（すなわち、ＭＷ＜１０，０００）ポリエチレングリコール、例えばＰＥＧ−１００も含有し得る。
【０１５３】
従来の剃毛補助具は、例えば、水溶性のポリマーがその中に分散する水不溶性ポリマーを更に含み得、これは、水不溶性マトリクスと呼ばれる場合がある。好ましくは、非水溶性ポリマーは、剃毛補助部材の約０重量％〜約５０重量％、より好ましくは約５重量％〜約４０重量％、更により好ましくは約１５重量％〜約３５重量％の濃度で存在する。利用できる好適な非水溶性ポリマーとしては、ポリエチレン（ＰＥ）、ポリプロピレン、ポリスチレン（ＰＳ）、ブタジエンスチレンコポリマー（例えば、中衝撃及び高衝撃ポリスチレン）、ポリアセタール、アクリロニトリルブタジエンスチレンコポリマー、エチレンビニルアセテートコポリマー、ポリウレタン、及びポリプロピレン／ポリスチレンブレンド又はポリスチレン／衝撃ポリスチレンブレンドなどのそれらのブレンドが挙げられる。１つの好ましい水不溶性ポリマーは、ポリスチレン、好ましくはＮＯＶＡ  Ｃ２３４５Ａなどの汎用ポリスチレン、又はＢＡＳＦ  ４９５Ｆ  ＫＧ２１などの高耐衝撃性ポリスチレン（ＨＩＰＳ）（すなわち、ポリスチレン−ブタジエン）である。ストリップ又は任意の部分は、生産中及び使用中の双方において適切な機械的強度を提供するために、十分な量で非水溶性ポリマーを含有する必要がある。いくつかの実施形態では、剃毛補助具は、Ｇｉｌｌｅｔｔｅ、Ｓｃｈｉｃｋ、又はＢＩＣによるカミソリカートリッジで使用されるものなどの、市販の剃毛補助部材に一般的に見られる任意の他の成分を含む。かかる剃毛補助部材の非限定的な例としては、米国特許第６３０１７８５号、同第６４４２８３９号、同第６２９８５５８号、同第６３０２７８５号、及び米国特許出願公開第２００８／０６０２０１号、及び同第２００９／０２２３０５７号で開示されたものが挙げられる。
【０１５４】
従来の剃毛補助具は、射出成形、加圧成形、含浸、スプレーコーティング、カレンダリング、及び押出成形を含む任意の適切な方法によって作製され得るが、後者が好ましい。当該補助具の構成要素の全てを、成形又は押出成形の前にブレンドしてよい。最良の結果を得るためには、構成成分が乾燥していることが好ましい。要約すると、当該方法は、水溶性ポリマー、水不溶性ポリマーを含む供給原料を準備する工程と、好ましくは当該供給原料を１２０℃〜２００℃の温度に加熱する工程と、当該供給原料を成形、加圧成形、含浸、スプレーコーティング、カレンダリング、及び／又は押出成形して剃毛補助部材を形成する工程と、を含む。本発明のフィラメント又はウェブは、このような従来の剃毛補助具の皮膚接触表面上に位置し得、当該技術分野において既知の任意の手段を使用してそれに取り付けられ得る。
【０１５５】
フィラメント、ウェブ及び又は剃毛補助具の作製方法
本発明のフィラメントは、任意の好適なプロセスによって作製することができる。フィラメントを作製するのに好適なプロセスの非限定的な例を以下に記載する。
【０１５６】
一例では、本発明に係るフィラメントを作製する方法は、
ａ．好ましくは、１つ以上のフィラメント形成材料と、任意追加的に、１つ以上の添加剤及び又はスキンケア活性剤とを含むフィラメント形成組成物を準備する工程と、
ｂ．当該フィラメント形成組成物を紡糸して１つ以上のフィラメントにする工程と、を含む。
【０１５７】
紡糸工程中、フィラメントが形成される際に、フィラメント形成組成物中に存在する任意の揮発性溶媒、好ましくは水を、例えば乾燥によって除去する。一例では、フィラメント形成組成物の揮発性溶媒（例えば水）のうちの５０重量％超、及び／又は７０重量％超、及び／又は９０重量％超が、紡糸工程中に、例えば作製されるフィラメントを乾燥させることによって除去される。
【０１５８】
フィラメント形成組成物は、任意の好適な紡糸プロセス、例えば、電界紡糸、メルトブローイング、及び／又はスパンボンディングなどによって１つ以上のフィラメントに紡糸される。一例では、フィラメント形成組成物は、メルトブローイングによって複数のフィラメントに紡糸される。例えば、フィラメント形成組成物は押出成形機からメルトブロー紡糸口金にポンプ移送され得る。紡糸口金内の１つ以上のフィラメント形成穴を出ると、フィラメント形成組成物は空気によって細径化され、１つ以上のフィラメントが作製される。次いでフィラメントを、乾燥させ、紡糸に使用される水などの残留している任意の溶媒を除去することができる。別の例では、フィラメント形成組成物は、当該技術分野において既知の電界紡糸技術を利用して複数のフィラメントに紡糸される。フィラメント形成組成物は、電荷が印加される電界紡糸先端に製造容器から汲み出される。フィラメントは、受容ドラム又はベルトへの吸引中に空気中で細径化される。フィラメントをベルトから除去し、当該技術分野において既知の任意の手段によって除毛ヘッドに適用してよい。あるいは、ベース基材又は剃毛補助具の構成要素（単数若しくは複数）を受容ドラムに取り付けてもよく、フィラメントは剃毛補助具の上面にコーティングを形成する。
【０１５９】
添加剤によるフィラメントのコーティング
本発明のフィラメントは、スプレーコーティング、印刷、ディップコーティング、又はこれらの組み合わせに限定されない当該技術分野において既知の任意の手段によって添加剤又は活性剤でコーティングされ得る。
【０１６０】
ウェブの形成
本発明のフィラメントを、ベルト、例えば、パターン化されたベルト上に収集して、フィラメントを含むウェブを形成することができる。また、非水溶性フィラメントをベルト上に供給して、水溶性及び非水溶性のフィラメントを両方含むウェブを形成することもできる。
【０１６１】
一実施形態では、ウェブは、スプレーコーティング、ディップコーティング、印刷、及び／又はスロットコーティングが挙げられるがこれらに限定されない当該技術分野において既知の任意の手段によって、添加剤及び又はスキンケア活性物質でコーティングされ得る。好ましくは、スプレーコーティングが使用される。一非限定例では、コーティングは、ウェブの少なくとも１つの表面上にスキンケア活性剤などの添加物を十分に制御しながら分布させるためにＸ−Ｙ表を用いて適用される。
【０１６２】
別の実施形態では、当該技術分野において既知の任意の手段によって、（コーティングされた又はコーティングされていない）ウェブのうちの少なくとも２層を接合させて積層体を形成する。典型的には、これは、剃毛補助具などの所望の形状及びサイズを形成するための成形型、熱、圧力、及び水、又はこれらの組み合わせの付加を利用することによって実現し得る。一例では、コーティングされたウェブ層を、ウェブに適用される熱、圧力、及び水の組み合わせを使用して接合させる。使用される水は、蒸気として存在してもよく、より好ましくは微細スプレーとしてウェブに適用されてもよい。別の例では、使用されるコーティングは熱硬化性であり、熱及び圧力のみが使用される。
【０１６３】
使用方法
本発明に係る任意追加的に１つ以上のスキンケア活性剤を含むフィラメント及びウェブは、剃毛プロセス中に皮膚を処理する方法において利用することができる。皮膚を処理する方法は、以下を含む１つ以上の工程を含み得る：
（ａ）フィラメント若しくはウェブ、又はこれらの剃毛補助具をカミソリ又は筐体又は剃毛補助具に取り付ける工程と、（ｂ）当該カミソリを水と接触させる工程と、（ｃ）当該カミソリを皮膚と接触させ、除毛と一致するように皮膚上を移動させる工程と、（ｄ）当該皮膚をすすぎ、乾燥させる工程と、（ｅ）これらの組み合わせ。
【０１６４】
非限定例
実施例１〜１０：水溶性フィラメント
実施例１〜１０は、フィラメント形成組成物、例えば、カミソリ用の物品として有用なフィラメントを作製するのに好適なフィラメント形成組成物が充填された、バッチ操作に適した加圧タンクを含む小規模装置を使用することによって製造される。フィラメント形成組成物を作製する工程は、以下を含む：
ｉ）水中に潤滑材料を分散させ（温度）及び機械的撹拌で混合する（速度）。材料は、一緒に混合してもよく、別々のプレミックスにし、次いで、合わせてもよい。
ｉｉ）添加剤又はスキンケア活性剤などの任意の追加成分を添加する。
ｉｉｉ）必要に応じて９０℃に加熱し、混合を続けて、潤滑材料及び任意の追加材料の均一な分散物を形成する。
ｉｖ）上記フィラメント形成組成物を使用してフィラメントに紡糸する。
【０１６５】
ポンプ（例えば、１回転当たり５．０立方センチメートル（ｃｃ／ｒｅｖ）の容量を有するＺｅｎｉｔｈ（登録商標）ＰＥＰ  ＩＩ型ポンプ、Ｐａｒｋｅｒ  Ｈａｎｎｉｆｉｎ  Ｃｏｒｐｏｒａｔｉｏｎ（Ｓａｎｆｏｒｄ，Ｎ．Ｃ．，ＵＳＡ）のＺｅｎｉｔｈポンプ部門により製造）を使用して、フィラメント形成組成物をダイに送り込む。フィラメント形成組成物の材料のダイへの流れは、ポンプの１分間当たりの回転数（ｒｐｍ）を調整することによって制御される。タンクから、ポンプへ、そしてダイへとフィラメント形成組成物を移送するために、パイプはタンク、ポンプ、及びダイに接続されている。ダイは、約１．５２４ミリメートル（約０．０６０インチ）のピッチだけ互いに離間している円形押出ノズルを２列以上有する。ノズルは、約０．３０５ミリメートル（約０．０１２インチ）の個々の内径、及び約０．８１３ミリメートル（約０．０３２インチ）の個々の外径を有する。各個々のノズルは、細径化空気を各個々のノズルに供給するために、環状かつ末広のフレア状オリフィスによって取り囲まれている。ノズルを通して押し出されているフィラメント形成組成物は、ノズルを取り囲んでいるオリフィスを通して供給されるほぼ円筒形の加湿空気流によって包囲及び細径化されて、フィラメントが製造される。細径化空気は、供給源からの圧縮空気を電気抵抗加熱器、例えば、Ｅｍｅｒｓｏｎ  Ｅｌｅｃｔｒｉｃ（Ｐｉｔｔｓｂｕｒｇｈ，Ｐａ．，ＵＳＡ）のＣｈｒｏｍａｌｏｘ部門により製造された加熱器によって加熱することにより供給される。電気的に加熱されサーモスタット制御される送出パイプにおける条件で、加熱された空気を飽和又はほぼ飽和させるために適切な量の蒸気を細径化空気に添加する。凝縮水は、電気的に加熱されサーモスタット制御される分離器中で除去される。フィラメントは、乾燥ノズル（図示せず）を通して供給され、回転しているフィラメントの全体的な向きに対して約９０℃の角度で放出される、電気抵抗加熱器（図示せず）により約１４９℃（約３００°Ｆ）〜約３１５℃（約６００°Ｆ）の温度を有する乾燥空気流によって乾燥させる。フィラメントは、回収装置、例えば、ベルト又は布地、一例では、ベルト又は布地上でフィラメントを回収した結果として形成される不織布ウェブに対してパターン、例えば非ランダムな繰り返しパターンを付与することができるベルト又は布地などで回収してよい。ウェブの坪量は、４０〜２５０ｇｓｍであった。
【０１６６】
実施例１〜５のフィラメント
以下のフィラメント形成組成物を調製した：−
【０１６７】
【表１】
2019524182.tif 000010
＊クラレによって供給されているＰＶＯＨ  ＫＬ３１８及びＰＶＡ４２０Ｈ。＊＊Ｄｏｗ  Ｃｈｅｍｉｃａｌによって供給されているＰｏｌｙｏｘ  Ｎ７５０、Ｎ６０Ｋ、及びＣｏａｇ、＾ＢＡＳＦによって供給されているＰＥＧ４００及び３００これらから以下のフィラメント組成物を形成した。
【０１６８】
【表２】
2019524182.tif 000011
【０１６９】
実施例のフィラメント６〜１０
以下のフィラメント形成組成物を調製した：−
【０１７０】
【表３】
2019524182.tif 000012
【０１７１】
これらから以下のフィラメントを形成した。
【０１７２】
【表４】
2019524182.tif 000013
【０１７３】
実施例１１〜１４．．．．．を作製する方法
【０１７４】
【表５】
2019524182.tif 000014
【０１７５】
以下に例示するフィラメントを上記フィラメント形成組成物から作製した；あるいは、組成物を画定するための流速を使用してプレミックスとして調製した。
【０１７６】
【表６】
2019524182.tif 000015
【０１７７】
コーティング
本明細書において上で論じたように、ウェブの個々の層をコーティングしてもよい。これは、スプレーコーティング装置を使用して行ってよい。これは、流れは制御されているが、供給条件は制御されていない手動であってよい。好ましくは、液滴供給の流れ及び位置の両方を制御するＸ−Ｙ表などの装置を使用する。あるいは、１００〜２００ｍＬ／分の範囲の流速を用いてスプレーガンを使用してもよい。コーティングは、スプレー装置を通じた流動性を改善するために加熱されてもよい。
【０１７８】
上記実施例１〜１０に記載のフィラメント又は不織布ウェブは、コーティングされてもよい。スキンケア活性剤を含む好適なコーティングの例を以下に示す。
【０１７９】
【表７】
2019524182.tif 000016
【０１８０】
供給元：＊−Ｄｏｗ  Ｃｈｅｍｉｃａｌｓ、＾−Ｌｏｎｚａ、＄−Ｄｏｗ  Ｃｏｒｎｉｎｇ、＃−Ｓｏｎｎｅｎｂｏｒｎ、＋−Ｍｏｍｅｎｔｉｖｅ
コーティングＢ及びＣは、衛生化された設備で製造した。製造容器を水浴又は加熱ジャケットを介して８５℃に加熱し、親油性構造物を付加する（セチルアルコール、マルチワックス）。次いで、油相成分を添加し、完全に液体になるまで混合する。次いで、熱を５５℃に低下させ、粉末成分を添加（ＳｏｆｔＣａｔ）し、均一に分散するまで混合する。次いで、混合物を室温に冷却し、コーティングのために保存してもよく、又は溶融している間に直接コーティングしてもよい。厚いコーティング層が必要な場合、コーティングを適切な成形型に注入し、冷却して、別個の固体部分を形成してもよい。
【０１８１】
コーティングされたウェブ又はフィラメントの単一層を、カミソリカートリッジ上で用いるために使用してよい。この一例は、９２ｇｓｍのコーティングＡを用いて上記実施例６で製造されたウェブの単一層をコーティングすることである。この組み合わせは、以下の溶解試験で試験されており、実施例６Ａとして記載される（そして、図４に図示される）。
【０１８２】
積層体
ウェブの複数の層を互いに積み重ね、圧縮して、積層体を形成してよい。必要な条件は、ウェブの層がコーティングされているかコーティングされていないかに依存する。典型的には、このプロセスは、剃毛補助具を形成するのに適した成形型内に、積み重ねられたウェブを配置し、熱、圧力、及び任意追加的に水又は熱硬化性材料を適用することを必要とする。ウェブ及びコーティングに応じて、５０〜１２０℃及び１０〜２５ｋＮ（１０００〜２５００ｋｇｆ）の条件で２〜７分間の範囲の処方物圧縮時間を使用する。圧縮後の冷却時間が好ましい。
【０１８３】
以下に示すように以下の積層ウェブを調製し、図１〜４にＬ１、Ｌ２、Ｌ３、６、６Ａ、Ｌ６、Ｌ４、及びＬ５として示す。
【０１８４】
１．必要なウェブのｇｓｍ及び使用されるコーティングの種類に従って積層体を構成するためにフィラメントを選択する。ウェブ又はフィラメントを、選択されたコーティングでコーティングする。
２．使用されるウェブ層の数を規定し、適切なサイズに切断し、質量を記録する。ウェブ積層物の合計質量を記録しなければならない。
３．複数のコーティングが使用されている場合は、ウェブ積層物を組み立てるときに第２のコーティングを塗布する。当該第２のコーティングは、必要とされるウェブ上に固体の予形成シートとして又はスロットコーティングなどの任意の既知の手段によって適用することができる。
４．コーティング中に熱硬化性材料が存在しないコーティングＡ型については、積層体を形成するために水を軽く塗布する必要がある場合がある。微細スプレーを使用して、積み重ねる前に各ウェブ層を均一にかつ軽くコーティングする。
５．後でカミソリに取り付けるのに適した部品を形成する穴を備える好適な成形型を準備する。この成形型は、積層体の表面全体にわたって均一に圧力を印加することができるか、又はより典型的には、確実に封止するために部品の縁部の周りに圧力を局在化させることができる。
６．次いで、組み立てられたウェブ積層物を成形型に入れ、これを加熱されたプラテンを備える好適な油圧プレス内に入れて必要な温度及び圧力に到達させる。典型的には、当該成形型は、プレスに適合することができるように約１２×１２ｃｍ２のサイズである。
７．コーティングＢ型及びＣ型については、これらは熱硬化性になり、加熱及び圧縮すると積層体を形成する。２０〜２５ｋＮ（２０００〜２５００ｋｇｆ）の負荷で２分間５０℃の温度を利用する。
８．コーティングＡ型について、典型的な条件は、８〜１０００ｋＮ（８００〜１０００）ｋｇｆで７分間適用される１２０℃である。層を隣接させるために使用される水の量は、これら条件に影響を与える。
９．プレスから成形型を取り出し、低圧力（典型的には５ｋｇ）を維持するために成形型上に重りをおいた状態で少なくとも５分間冷却する。
１０．一旦冷却し、形成された積層体を成形型から取り出し、必要に応じて適切な形状に切断する。次いで、接着剤又は任意の他の好適な手段によって、積層体をカミソリカートリッジ筐体に取り付けてよい。
【０１８５】
【表８】
2019524182.tif 000017
【０１８６】
本明細書に記載される溶解試験法を使用して、実施例６、６Ａ、Ｌ６、Ｌ４、及びＬ５の溶解速度を以下に明白に示す；
【０１８７】
【表９】
2019524182.tif 000018
【０１８８】
上記データから分かるように、積層構造の形成により、溶解時間が著しく増大する。これは、溶解速度を増大させ、それによって、剃毛プロセス中に潤滑材料及び又は皮膚活性物質が皮膚に送達される速度を制御するという利点を有する。
【０１８９】
試験方法
特に指示がない限り、定義の欄に記載されたものを含む本明細書に記載された全ての試験並びに以下の試験方法は、特に指示がない限り、試験前に２時間、約２３℃±２．２℃（７３°Ｆ±４°Ｆ）の温度及び相対湿度５０％±１０％に管理された室内でコンディショニングされたサンプルに対して行われる。本明細書に記載のとおり調整したサンプルは、本発明の目的のために乾燥サンプル（例えば、「乾燥フィラメント」）であるとみなされる。更に、全ての試験はそのように調整された室内で実施される。
【０１９０】
含水率試験法
フィラメント及び／又はウェブ中に存在する含水量（含湿量）を、以下の含水量試験法を使用して測定する。
【０１９１】
フィラメント及び／若しくはウェブ、又はその一部（「サンプル」）を、試験前に温度少なくとも２４時間、約２３℃±２．２℃（７３°Ｆ±４°Ｆ）の温度及び相対湿度５０％±１０％に管理された室内に置く。少なくとも５分間、更なる重量変化が検出されなくなったときのサンプルの重量を記録する。この重量をサンプルの「平衡重量」として記録する。次いで、サンプルを、相対湿度約４％である７０℃の乾燥オーブン内に２４時間置いて、サンプルを乾燥させる。２４時間乾燥させた後、直ちにサンプルを計量する。この重量をサンプルの「乾燥重量」として記録する。サンプルの含水（水分）率を以下のとおり計算する：
【０１９２】
【数７】
2019524182.tif 000019
【０１９３】
３つの複製物についてのサンプル中の含水（水分）％を平均して、サンプル中の含水（水分）％として報告する。
【０１９４】
溶出試験法
装置及び材料：
６００ｍＬビーカー
電磁撹拌器（Ｌａｂｌｉｎｅ  Ｍｏｄｅｌ  Ｎｏ．１２５０又は同等物）
磁気撹拌棒（５ｃｍ）
温度計（１〜１００℃＋／−１℃）
型板、ステンレス鋼（３．８ｃｍ×３．２ｃｍ）
タイマー（０〜３００秒、四捨五入して秒数単位の正確さ）
３．８ｃｍ×３．２ｃｍの開口部を有する３５ｍｍのスライド台（Ｐｏｌａｒｏｉｄ  Ｃｏｒｐｏｒａｔｉｏｎより入手可能）
３５ｍｍのスライド台ホルダー
以下の特性を有するＣｉｎｃｉｎｎａｔｉ市水道水又は等価物：合計硬度＝１５５ｍｇ／Ｌ（ＣａＣＯ３として）；カルシウム含量＝３３．２ｍｇ／Ｌ；マグネシウム含量＝１７．５ｍｇ／Ｌ；リン酸塩含有量＝０．０４６２
【０１９５】
サンプルの調製：
１．開口領域の寸法２４×３６ｍｍ（すなわち、３．８ｃｍ×３．２ｃｍの試料）を備える３５ｍｍのスライド台内にサンプルが確実にちょうど収まるように、型板を使用して、試験されるウェブ（「サンプル」）から３つの試験サンプルを切り出す。ウェブの横方向に沿って均一に離間しているウェブの領域からサンプルを切り出す。
２．３つの試料のそれぞれを別個の３５ｍｍスライド台に固定する。
３．磁気撹拌棒を６００ｍＬのビーカー内に入れる。
４．５００ｍＬ以上のシンシナティ市の水道水を入手し、温度計で水温を測定し、必要に応じて、水の温度を試験温度、すなわち、５℃で維持するように調整する。水温が５℃になったら、５００ｍＬの水を６００ｍＬのビーカーに充填する。
５．次いで、ビーカーを電磁攪拌器上に定置する。攪拌器のスイッチを入れて、水の中で渦が発生し、渦の底部が６００ｍＬビーカーの４００ｍＬの印のところにくるまで、撹拌速度を調整する。
６．サンプルが固定されている３５ｍｍのスライド台を、３５ｍｍのスライド台をビーカー内の水の中に下げるように設計されたホルダー、例えば、３５ｍｍのスライド台を６００ｍＬビーカー内に存在する水の中に配置するように設計された３５ｍｍのスライド台ホルダーのワニ口クランプに取り付ける。３５ｍｍのスライド台の長端が６００ｍＬビーカー内に存在する水の表面と平行になるように、３５ｍｍスライド台の一方の長端の中央で、３５ｍｍスライド台をワニ口クランプによって保持する。この設置により、フィルム又は不織布の表面は、水の流れと垂直に配置される。３５ｍｍのスライド台及びスライド台ホルダーの配置がわずかに改変された例が、米国特許第６，７８７，５１２号の図１〜図３に示されている。
７．一回の動作で、ビーカー内の水の中心の上方に３５ｍｍスライド台を配置する３５ｍｍのスライド台ホルダーを降下させて、３５ｍｍスライド台に固定されたフィルム又は不織布のサンプルの露出している表面領域全体に水が接触するように、３５ｍｍのスライド台を十分に水中に沈ませる。フィルム又は不織布の露出している表面領域全体に水が接触したら直ちに、タイマーを起動させる。フィルム又は不織布が分断されると分解が生じる。見えるウェブの全てがスライド台から放出されたとき、溶解していないウェブの断片について水を観察しならが、３５ｍｍスライド台を水から引き揚げる。全てのウェブの断片がもはや水中に見えなくなったとき、溶解が生じる。
８．各サンプルの３つの複製品について実施する。
９．秒／グラム（サンプル）（ｓ／ｇ）の単位である、試験されたサンプル１ｇあたりの崩壊及び溶解時間の値を得るために、各崩壊及び溶解時間をサンプルの重量によって正規化する。３つの複製品の、試験されたサンプル１ｇあたりの平均崩壊及び溶解時間を記録する。
【０１９６】
直径試験法
走査型電子顕微鏡（Scanning Electron Microscope、ＳＥＭ）又は光学顕微鏡、及び画像解析ソフトウェアを使用することによって、分離したフィラメント又はウェブ内の１本のフィラメントの直径を決定する。フィラメントが測定のために好適に拡大されるように、２００〜１０，０００倍の倍率を選択する。ＳＥＭを使用する場合、電子ビームにおけるフィラメントの帯電及び振動を避けるために、金又はパラジウム化合物でサンプルをスパッタリングする。ＳＥＭ又は光学顕微鏡で撮影された（モニタ画面上の）画像から、フィラメントの直径を決定するための手動手順を使用する。マウス及びカーソルツールを使用して、無作為に選択されたフィラメントの縁部を探索し、次いで、そのフィラメントの他方の縁部まで、幅全体を（すなわち、その点におけるフィラメント方向に対して垂直に）測定する。目盛り付きの較正された画像解析ツールにより、μｍ単位で実際の読取値を取得するための目盛りが提供される。ウェブ内のフィラメントについては、ＳＥＭ又は光学顕微鏡を使用して、ウェブのサンプルの中からいくつかのフィラメントを無作為に選択する。ウェブ（又は製品内のウェブ）の少なくとも２つの部分を切り取り、この方法で試験する。統計解析のために、このような測定を合計少なくとも１００回実施し、次いで、全てのデータを記録する。記録されたデータを使用して、フィラメントの直径の平均（平均値）、フィラメントの直径の標準偏差、及びフィラメントの直径の中央値を計算する。
【０１９７】
別の有用な統計値は、特定の上限未満であるフィラメントの集団の量の計算値である。この統計値を決定するために、例えば、フィラメント直径の結果の幾つが上限未満であるかをカウントするようにソフトウェアをプログラムし、このカウント（データの合計数によって除し、１００％を乗じる）を、上限未満である割合（例えば、直径が１マイクロメートル未満である割合（％）、又はサブミクロンである割合（％））として、パーセントで記録する。本発明者らは、個々の円形フィラメントの測定直径（μｍ）をｄｉとして表す。
【０１９８】
フィラメントが非円形断面を有する場合、フィラメント直径の測定は、水力直径とはフィラメントの断面積を４倍してフィラメントの断面の周辺長さ（中空フィラメントの場合は外周）で除した水力直径として決定し、そして、水力直径と等しく設定する。数−平均直径、あるいは平均直径は、以下のとおりに計算する：
【０１９９】
【数８】
2019524182.tif 000020
【０２００】
厚み法
切り出された各サンプルがＶＩＲ  Ｅｌｅｃｔｒｏｎｉｃ  Ｔｈｉｃｋｎｅｓｓ  Ｔｅｓｔｅｒ  Ｍｏｄｅｌ  ＩＩ（Ｔｈｗｉｎｇ−Ａｌｂｅｒｔ  Ｉｎｓｔｒｕｍｅｎｔ  Ｃｏｍｐａｎｙ（Ｐｈｉｌａｄｅｌｐｈｉａ，ＰＡ）から入手可能）のロードフット搭載面よりも大きなサイズになるようにウェブサンプルの５つのサンプルを切り出すことによって、ウェブ（単一層又は多層）の厚さを測定する。典型的に、ロードフット搭載面は約２０．３ｃｍ２（３．１４ｉｎ２）の円形の表面積を有する。サンプルを水平な平面とロードフット搭載面との間に固定する。ロードフット搭載面は、１５．５ｇ／ｃｍ２の封圧をサンプルに印加する。各サンプルの厚さとは、平面とロードフット搭載面との間に生じるギャップである。厚さは、５つのサンプルの平均厚さとして計算される。結果をミリメートル（ｍｍ）で報告する。
【０２０１】
剪断粘度試験方法
本発明のフィラメント形成組成物の剪断粘度は、毛管レオメーターである、Ｇｏｅｔｔｆｅｒｔ  ＵＳＡ（Ｒｏｃｋ  Ｈｉｌｌ  ＳＣ，ＵＳＡ）で製造されたＧｏｅｔｔｆｅｒｔ  Ｒｈｅｏｇｒａｐｈ  ６０００を使用して測定する。測定は、１．０ｍｍの直径Ｄ及び３０ｍｍの長さＬ（すなわちＬ／Ｄ＝３０）を有する毛管ダイを使用して行う。ダイをレオメーターの２０ｍｍバレルの下端に取り付け、これを７５℃のダイ試験温度で保持する。ダイ試験温度に予め熱しておいたフィラメント形成組成物の６０ｇのサンプルを、レオメーターのバレル領域にロードする。サンプルから、閉じ込められた空気を全て取り除く。一連の選択された速度１，０００〜１０，０００秒−１で、サンプルをバレルから毛管ダイを通して押し出す。見かけの剪断粘度は、試料がバレルから毛管ダイを通って進むときに試料に生じる圧力低下及び毛管ダイを通る試料の流量から、レオメーターのソフトウェアを用いて計算することができる。ｌｏｇ（見かけの剪断粘度）をｌｏｇ（剪断速度）に対してプロットすることができ、このプロットを式h＝Ｋγｎ−１（式中、Ｋは材料の粘度定数であり、ｎは材料の薄化指数であり、γは剪断速度である）に従って、指数法則でフィッティングすることができる。本明細書におけるフィラメント形成組成物の見かけの剪断粘度の報告値は、指数法則関係を用いて剪断速度３，０００秒−１に対する補間から計算される。
【０２０２】
坪量試験法
１２個の個々の繊維構造体サンプルを選択し、それぞれ６個の個々のサンプルのスタックを２個作製することによって、繊維構造体サンプルの坪量を測定する。個々のサンプルが互いに穿孔線を介して接続されている場合、個々のサンプルをスタッキングするときに穿孔線を同じ側にそろえなければならない。精密カッターを使用して、各積層物を正確に８．９ｃｍ×８．９ｃｍ（３．５ｉｎ×３．５ｉｎ）の正方形に切断する。２つの切断した正方形のスタックを合わせて、１２個の正方形の厚みの坪量パッドを作製する。その後、最小分解能が０．０１ｇである上のせ式天秤で坪量パッドを秤量する。上のせ式天秤は、ドラフトシールドを使用して、気流及び他の障害から保護する必要がある。上のせ式天秤の読み取り値が一定になったら、重量を記録する。以下のとおり坪量を計算する：
【０２０３】
【数９】
2019524182.tif 000021
【０２０４】
本明細書に開示した寸法及び値は、記載された正確な数値に厳密に限定されるものと理解されるべきではない。むしろ、特に指示がない限り、そのような各寸法は、記載された値及びその値の周辺の機能的に同等の範囲の両方を意味するものとする。例えば、「４０ｍｍ」として開示される寸法は、「約４０ｍｍ」を意味するものとする。
【０２０５】
相互参照される又は関連特許若しくは出願のいずれも含めた、本明細書に引用されている全ての文書は、明示的に除外される、又は特に限定されない限り、参照によりその全体が本明細書に組み込まれている。いかなる文献の引用も、本明細書中で開示又は特許請求される任意の発明に対する先行技術であるとはみなされず、あるいはそれを単独で又は他の任意の参考文献（１つ又は複数）と組み合わせたときに、そのような任意の発明を教示、示唆、又は開示するとはみなされない。更に、本文書における用語の任意の意味又は定義が、参照することにより本明細書に援用された文書内の同じ用語の意味又は定義と矛盾する場合、本文書におけるその用語に与えられた意味又は定義が適用されるものとする。
【０２０６】
本発明の特定の実施例及び／又は実施形態について図示し説明したが、本発明の趣旨及び範囲から逸脱することなく、他の様々な変更及び修正を実施できることが当業者には明白であろう。したがって、本発明の範囲内に含まれるそのような全ての変更及び修正は、添付の特許請求の範囲にて網羅することを意図したものである。
【図１】
2019524182.tif 000022
【図２】
2019524182.tif 000023
【図３】
2019524182.tif 000024
【図４】
2019524182.tif 000025
【国際調査報告】
2019524182.tif 000026
2019524182.tif 000027